(57)【特許請求の範囲】
【請求項１】
第１のネットワークエンティティによって動作可能な、通信の方法であって、
前記第１のネットワークエンティティから第２のネットワークエンティティに、要求を送ることであって、前記要求はアクセスポイントが加入した少なくとも一つのアプリケーションサーバの識別に対するものであり、前記加入は前記アクセスポイントがアクセス端末に少なくとも１つのアプリケーションの定義されたセットへのアクセスを与えることを許可する、送ることと、
前記第１のネットワークエンティティにおいて第２のネットワークエンティティから前記要求に対する応答を受信することであって、前記応答は前記アクセスポイントが加入した少なくとも１つのアプリケーションサーバのリストを備える、受信することと、
前記第１のネットワークエンティティから前記識別された少なくとも１つのアプリケーションサーバに登録ステータス情報を送ることであって、前記登録ステータス情報が前記アクセスポイントにおける前記アクセス端末の登録ステータスを示す、送ることと
を備える、方法。
【請求項２】
前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、請求項１に記載の方法。
【請求項３】
前記アクセスポイントの前記登録ステータスの変化があったと判断することをさらに備え、前記判断の結果として前記要求が送られる、請求項１に記載の方法。
【請求項４】
前記アクセスポイントから登録メッセージを受信することをさらに備え、前記アクセスポイントの前記登録ステータスの変化があったという前記判断は前記登録メッセージに基づく、請求項３に記載の方法。
【請求項５】
前記登録ステータスは、前記アクセス端末が前記アクセスポイントに登録したこと、または前記アクセス端末がもはや前記アクセスポイントに登録されていないことを示す、請求項１に記載の方法。
【請求項６】
前記アクセス端末の前記登録ステータスの変化があったと判断することをさらに備え、前記判断の結果として前記要求が送られる、請求項１に記載の方法。
【請求項７】
前記アクセス端末から登録メッセージを受信することをさらに備え、前記アクセス端末の前記登録ステータスの変化があったという前記判断は前記登録メッセージに基づく、請求項６に記載の方法。
【請求項８】
前記要求が、前記アクセスポイントの識別子と、前記アクセスポイントに関連する加入データとを備える、請求項１に記載の方法。
【請求項９】
前記アクセスポイントがフェムトアクセスポイントを備え、
前記第１のネットワークエンティティがフェムトコンバージェンスサーバを備え、
前記第２のネットワークエンティティがホーム加入者サーバを備える、
請求項１に記載の方法。
【請求項１０】
前記要求がユーザデータ要求コマンドを備え、
前記要求に対する前記応答がユーザデータ返答コマンドを備える、
請求項９に記載の方法。
【請求項１１】
前記第１のネットワークエンティティが、ユーザのためのセッションを管理するエンティティを備え、
前記第２のネットワークエンティティが、加入者情報を管理するエンティティを備える、
請求項１に記載の方法。
【請求項１２】
前記第１のネットワークエンティティが呼セッション制御機能を備え、
前記第２のネットワークエンティティがホーム加入者サーバを備える、
請求項１に記載の方法。
【請求項１３】
通信のための装置であって、
第１のネットワークエンティティから第２のネットワークエンティティに、要求を送るように動作可能であり、前記第１のネットワークエンティティにおいて前記第２のネットワークエンティティから前記要求に対する応答を受信するようにさらに動作可能であるネットワークインターフェースであって、前記要求はアクセスポイントが加入した少なくとも一つのアプリケーションサーバの識別に対するものであり、前記加入は前記アクセスポイントがアクセス端末に少なくとも１つのアプリケーションの定義されたセットへのアクセスを与えることを許可し、前記応答は前記アクセスポイントが加入した少なくとも１つのアプリケーションサーバのリストを備える、ネットワークインターフェースと、
前記第１のネットワークエンティティから前記識別された少なくとも１つのアプリケーションサーバに登録ステータス情報を送るように動作可能なコントローラであって、前記登録ステータス情報が前記アクセスポイントにおける前記アクセス端末の登録ステータスを示す、コントローラと
を備える、装置。
【請求項１４】
前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、請求項１３に記載の装置。
【請求項１５】
前記コントローラは、前記アクセスポイントの前記登録ステータスの変化があったと判断するようにさらに動作可能であり、
前記判断の結果として前記要求が送られる、
請求項１３に記載の装置。
【請求項１６】
前記ネットワークインターフェースが、前記アクセスポイントから登録メッセージを受信するようにさらに動作可能であり、
前記アクセスポイントの前記登録ステータスの変化があったという前記判断は前記登録メッセージに基づく、
請求項１５に記載の装置。
【請求項１７】
前記登録ステータスは、前記アクセス端末が前記アクセスポイントに登録したこと、または前記アクセス端末がもはや前記アクセスポイントに登録されていないことを示す、請求項１３に記載の装置。
【請求項１８】
前記コントローラは、前記アクセス端末の前記登録ステータスの変化があったと判断するようにさらに動作可能であり、
前記判断の結果として前記要求が送られる、
請求項１３に記載の装置。
【請求項１９】
前記ネットワークインターフェースが、前記アクセス端末から登録メッセージを受信するようにさらに動作可能であり、
前記アクセス端末の前記登録ステータスの変化があったという前記判断は前記登録メッセージに基づく、
請求項１８に記載の装置。
【請求項２０】
前記要求が、前記アクセスポイントの識別子と、前記アクセスポイントに関連する加入データとを備える、請求項１３に記載の装置。
【請求項２１】
前記アクセスポイントがフェムトアクセスポイントを備え、
前記装置がフェムトコンバージェンスサーバを備え、
前記第２のネットワークエンティティがホーム加入者サーバを備える、
請求項１３に記載の装置。
【請求項２２】
前記要求がユーザデータ要求コマンドを備え、
前記要求に対する前記応答がユーザデータ返答コマンドを備える、
請求項２１に記載の装置。
【請求項２３】
前記装置が、ユーザのためのセッションを管理するエンティティを備え、
前記第２のネットワークエンティティが、加入者情報を管理するエンティティを備える、
請求項１３に記載の装置。
【請求項２４】
前記装置が呼セッション制御機能を備え、
前記第２のネットワークエンティティがホーム加入者サーバを備える、
請求項１３に記載の装置。
【請求項２５】
通信のための装置であって、
第１のネットワークエンティティから第２のネットワークエンティティに、要求を送るための手段であって、前記要求はアクセスポイントが加入した少なくとも一つのアプリケーションサーバの識別に対するものであり、前記加入は前記アクセスポイントがアクセス端末に少なくとも１つのアプリケーションの定義されたセットへのアクセスを与えることを許可する、送るための手段と、
前記第１のネットワークエンティティにおいて前記第２のネットワークエンティティから前記要求に対する応答を受信するための手段であって、前記応答は前記アクセスポイントが加入した少なくとも１つのアプリケーションサーバのリストを備える、受信するための手段と、
前記第１のネットワークエンティティから前記識別された少なくとも１つのアプリケーションサーバに登録ステータス情報を送るための手段であって、前記登録ステータス情報が前記アクセスポイントにおける前記アクセス端末の登録ステータスを示す、送るための手段と、
を備える、装置。
【請求項２６】
前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、請求項２５に記載の装置。
【請求項２７】
前記アクセスポイントの前記登録ステータスの変化があったと判断するための手段をさらに備え、前記判断の結果として前記要求が送られる、請求項２５に記載の装置。
【請求項２８】
前記アクセスポイントがフェムトアクセスポイントを備え、
前記装置がフェムトコンバージェンスサーバを備え、
前記第２のネットワークエンティティがホーム加入者サーバを備える、
請求項２５に記載の装置。
【請求項２９】
前記要求がユーザデータ要求コマンドを備え、
前記要求に対する前記応答がユーザデータ返答コマンドを備える、
請求項２８に記載の装置。
【請求項３０】
第１のネットワークエンティティから第２のネットワークエンティティに、要求を送ることであって、前記要求はアクセスポイントが加入した少なくとも一つのアプリケーションサーバの識別に対するものであり、前記加入は前記アクセスポイントがアクセス端末に少なくとも１つのアプリケーションの定義されたセットへのアクセスを与えることを許可する、送信することと、
前記第１のネットワークエンティティにおいて前記第２のネットワークエンティティから前記要求に対する応答を受信することであって、前記応答は前記アクセスポイントが加入した少なくとも１つのアプリケーションサーバのリストを備える、受信することと、
前記第１のネットワークエンティティから前記識別された少なくとも１つのアプリケーションサーバに登録ステータス情報を送ることであって、前記登録ステータス情報が前記アクセスポイントにおける前記アクセス端末の登録ステータスを示す、送ることと
をコンピュータに行わせるためのコードを備えるコンピュータ可読記憶媒体。
【請求項３１】
前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、請求項３０に記載のコンピュータ可読記憶媒体。
【請求項３２】
前記アクセスポイントの前記登録ステータスの変化があったと判断することを前記コンピュータに行わせるためのコードをさらに備え、前記判断の結果として前記要求が送られる、請求項３０に記載のコンピュータ可読記憶媒体。
【請求項３３】
前記アクセスポイントがフェムトアクセスポイントを備え、
前記第１のネットワークエンティティがフェムトコンバージェンスサーバを備え、
前記第２のネットワークエンティティがホーム加入者サーバを備える、
請求項３０に記載のコンピュータ可読記憶媒体。
【請求項３４】
前記要求がユーザデータ要求コマンドを備え、
前記要求に対する前記応答がユーザデータ返答コマンドを備える、
請求項３３に記載のコンピュータ可読記憶媒体。
【請求項３５】
アクセス端末においてリストを維持することであって、前記リストは、前記アクセス端末が少なくとも１つのアクセスポイントに登録しようとするその少なくとも１つのアクセスポイントを識別し、前記アクセスポイントは、前記アクセス端末に少なくとも１つのアプリケーションの定義されたセットへのアクセスを与えることを許可される、維持することと、
第１のアクセスポイントから信号を受信することと、
前記第１のアクセスポイントが前記リストによって識別されると判断することと、
前記第１のアクセスポイントが前記リストによって識別されるという前記判断の結果として、前記第１のアクセスポイントに登録することと
を備える、通信の方法。
【請求項３６】
前記アクセス端末の加入は、前記アクセス端末が前記第１のアクセスポイントに登録されている場合、前記アクセス端末が少なくとも１つのアプリケーションサーバを介して少なくとも１つの定義されたサービスにアクセスすることを許可されることを指定する、請求項３５に記載の方法。
【請求項３７】
前記アクセス端末は、前記登録を実行して、前記アクセス端末が前記第１のアクセスポイントに存在することを前記少なくとも１つのアプリケーションサーバに通知する、請求項３６に記載の方法。
【請求項３８】
前記登録の結果として前記少なくとも１つの定義されたサービスにアクセスすることをさらに備える、請求項３６に記載の方法。
【請求項３９】
前記アクセス端末が前記第１のアクセスポイントのカバレージを出ようとしていると判断することと、
前記アクセス端末が前記カバレージを出ようとしているという前記判断の結果として、前記第１のアクセスポイントから登録解除することと
をさらに備える、請求項３５に記載の方法。
【請求項４０】
前記アクセスポイントに前記登録することが、前記アクセスポイントを介してインターネットプロトコル・マルチメディア・サブシステムに登録することを備える、請求項３５に記載の方法。
【請求項４１】
前記アクセス端末が、インターネットプロトコル・マルチメディア・サブシステム・クライアントを備えない回線交換ベースのアクセス端末を備え、
前記アクセス端末が、前記登録の結果としてインターネットプロトコル・マルチメディア・サブシステム・サービスへのアクセスを取得する、
請求項３５に記載の方法。
【請求項４２】
前記アクセスポイントがフェムトアクセスポイントを備える、請求項３５に記載の方法。
【請求項４３】
通信のための装置であって、
前記装置が少なくとも１つのアクセスポイントに登録しようとするその少なくとも１つのアクセスポイントを識別するリストを維持するように動作可能なメモリ構成要素と、ここにおいて、前記アクセスポイントは、アクセス端末に少なくとも１つのアプリケーションの定義されたセットへのアクセスを与えることを許可される、
第１のアクセスポイントから信号を受信するように動作可能な受信機と、
前記第１のアクセスポイントが前記リストによって識別されると判断するように動作可能であり、前記第１のアクセスポイントが前記リストによって識別されるという前記判断の結果として、前記第１のアクセスポイントに登録するようにさらに動作可能であるコントローラと
を備える、装置。
【請求項４４】
前記装置の加入は、前記装置が前記第１のアクセスポイントに登録されている場合、前記装置が少なくとも１つのアプリケーションサーバを介して少なくとも１つの定義されたサービスにアクセスすることを許可されることを指定する、請求項４３に記載の装置。
【請求項４５】
前記コントローラは、前記登録を実行して、前記装置が前記第１のアクセスポイントに存在することを前記少なくとも１つのアプリケーションサーバに通知する、請求項４４に記載の装置。
【請求項４６】
前記コントローラが、登録の結果として前記少なくとも１つの定義されたサービスにアクセスするようにさらに動作可能である、請求項４４に記載の装置。
【請求項４７】
前記コントローラは、
前記装置が前記第１のアクセスポイントのカバレージを出ようとしていると判断することと、
前記装置が前記カバレージを出ようとしているという前記判断の結果として、前記第１のアクセスポイントから登録解除することと
を行うようにさらに動作可能である、請求項４３に記載の装置。
【請求項４８】
前記アクセスポイントに前記登録することが、前記アクセスポイントを介してインターネットプロトコル・マルチメディア・サブシステムに登録することを備える、請求項４３に記載の装置。
【請求項４９】
前記装置が、インターネットプロトコル・マルチメディア・サブシステム・クライアントを備えない回線交換ベースのアクセス端末を備え、
前記装置が、前記登録の結果としてインターネットプロトコル・マルチメディア・サブシステム・サービスへのアクセスを取得する、
請求項４３に記載の装置。
【請求項５０】
前記アクセスポイントがフェムトアクセスポイントを備える、請求項４３に記載の装置。
【請求項５１】
通信のための装置であって、
前記装置が少なくとも１つのアクセスポイントに登録しようとするその少なくとも１つのアクセスポイントを識別するリストを維持するための手段と、ここにおいて、前記アクセスポイントは、アクセス端末に少なくとも１つのアプリケーションの定義されたセットへのアクセスを与えることを許可される、
第１のアクセスポイントから信号を受信するための手段と、
前記第１のアクセスポイントが前記リストによって識別されると判断するための手段と、
前記第１のアクセスポイントが前記リストによって識別されるという前記判断の結果として、前記第１のアクセスポイントに登録するための手段と
を備える、装置。
【請求項５２】
前記装置が前記第１のアクセスポイントのカバレージを出ようとしていると判断するための手段と、
前記装置が前記カバレージを出ようとしているという前記判断の結果として、前記第１のアクセスポイントから登録解除するための手段と
をさらに備える、請求項５１に記載の装置。
【請求項５３】
前記アクセスポイントに前記登録することが、前記アクセスポイントを介してインターネットプロトコル・マルチメディア・サブシステムに登録することを備える、請求項５１に記載の装置。
【請求項５４】
前記アクセスポイントがフェムトアクセスポイントを備える、請求項５１に記載の装置。
【請求項５５】
アクセス端末においてリストを維持することであって、前記リストは、前記アクセス端末が少なくとも１つのアクセスポイントに登録しようとするその少なくとも１つのアクセスポイントを識別し、前記アクセスポイントは、前記アクセス端末に少なくとも１つのアプリケーションの定義されたセットへのアクセスを与えることを許可される、維持することと、
第１のアクセスポイントから信号を受信することと、
前記第１のアクセスポイントが前記リストによって識別されると判断することと、
前記第１のアクセスポイントが前記リストによって識別されるという前記判断の結果として、前記第１のアクセスポイントに登録することと
をコンピュータに行わせるためのコードを備えるコンピュータ可読記憶媒体。
【請求項５６】
前記アクセス端末が前記第１のアクセスポイントのカバレージを出ようとしていると判断することと、
前記アクセス端末が前記カバレージを出ようとしているという前記判断の結果として、前記第１のアクセスポイントから登録解除することと
を前記コンピュータに行わせるためのコードをさらに備える、請求項５５に記載のコンピュータ可読記憶媒体。
【請求項５７】
前記アクセスポイントに前記登録することが、前記アクセスポイントを介してインターネットプロトコル・マルチメディア・サブシステムに登録することを備える、請求項５５に記載のコンピュータ可読記憶媒体。
【請求項５８】
前記アクセスポイントがフェムトアクセスポイントを備える、請求項５５に記載のコンピュータ可読記憶媒体。
【発明の詳細な説明】
【技術分野】
【０００１】
[優先権の主張]
本出願は、すべての目的のために、本明細書において全体的に示されるように、各々が参照により本明細書に組み込まれる、２０１０年４月２日に出願された「METHOD AND APPARATUS FOR FEMTO UE LOCATION UPDATE IN A WIRELESS COMMUNICATION SYSTEM」と題する同時係属の米国仮特許出願第６１／３２０，５９８号と、２０１０年５月２８日に出願された「METHOD AND APPARATUS FOR FEMTOCELL ZONE ENABLEMENT IN A WIRELESS COMMUNICATION SYSTEM」と題する同時係属の米国仮特許出願第６１／３４９，３０２号と、２０１０年６月１６日に出願された「METHOD AND APPARATUS FOR FEMTOCELL ZONE ENABLEMENT IN A WIRELESS COMMUNICATION SYSTEM」と題する同時係属の米国仮特許出願第６１／３５５，４８４号との利益および優先権を主張する。
【０００２】
本出願は、一般にワイヤレス通信に関し、より詳細には、限定はしないが、ネットワーク登録プロシージャに関する。
【背景技術】
【０００３】
[序論]
ワイヤレス通信ネットワークは、画定された地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、（たとえば、様々なセルに対応する）アクセスポイントがネットワーク全体にわたって分散される。
【０００４】
高速なマルチメディアデータサービスの需要が急速に増大するにつれて、向上したパフォーマンスをもつ効率的でロバストな通信システムを実装することが課題となっている。従来のネットワークアクセスポイント（たとえば、マクロアクセスポイント（macro access points））を補うために、小カバレージアクセスポイント（small-coverage access points）を展開して（たとえば、ユーザの自宅中に設置して）、よりロバストな屋内ワイヤレスカバレージまたは他のカバレージをアクセス端末に与え得る。そのような小カバレージアクセスポイントは、たとえば、フェムトアクセスポイント（femto access points）、フェムトセル（femto cells）、ホームノードＢ、ホームｅノードＢ、またはアクセスポイント基地局と呼ばれることがある。一般に、そのような小カバレージアクセスポイントは、ＤＳＬルータまたはケーブルモデムを介してインターネットおよびモバイル事業者のネットワークに接続される。便宜上、以下の説明では、小カバレージアクセスポイントをフェムトセルまたはフェムトアクセスポイントと呼ぶことがある。
【０００５】
アクセス端末が、ネットワークによってサービスされる地理的エリア全体にわたってローミングするとき、そのアクセス端末は、異なるタイプのサービスへのアクセスを与える異なるアクセスポイント（たとえば、フェムトアクセスポイント）のカバレージエリアに入ることがある。したがって、アクセス端末がこれらのサービスへのアクセスを獲得することを可能にする効率的な機構が必要である。
【発明の概要】
【０００６】
本開示のいくつかの例示的な態様の概要について以下で説明する。本概要は、読者の便宜のために与えられるものであり、本開示の幅を完全に定義するとは限らない。便宜上、本明細書では、本開示の単一の態様または複数の態様を指すために、いくつかの態様という用語を使用することがある。
【０００７】
本開示は、いくつかの態様では、ネットワークベースのアプリケーションへのアクセスを可能にする登録プロシージャに関する。たとえば、アクセスポイント（たとえば、フェムトアクセスポイント）の加入（subscription）により、アクセスポイントは、アプリケーションの定義されたセットへのアクセスを与えることが可能になり得る。これらのアプリケーションは１つまたは複数のアプリケーションサーバによってサービスされ、それにより、アクセスポイントは、関連するインターネットプロトコル（ＩＰ）サービス（たとえば、ＩＰマルチメディアサブシステム（IP Multimedia Subsystem）（ＩＭＳ））に登録すると、それらのアプリケーションへのアクセスを獲得し得る。これらのアプリケーションへのアクセスを可能にするために、アプリケーションサーバはアクセスポイントの登録ステータスを通知される。このようにして、アクセス端末がそのようなアクセスポイントによってサービスされているとき、アクセス端末は、そのアクセスポイントに関連する特定のアプリケーションへのアクセスを許される。
【０００８】
本開示は、いくつかの態様では、アクセスポイントに関連するアプリケーションサーバを識別し、アプリケーションサーバにアクセスポイントの登録ステータスを通知するネットワークエンティティに関する。たとえば、通信の方法が、第１のネットワークエンティティ（たとえば、フェムトコンバージェンスサーバ（femto convergence server））から第２のネットワークエンティティ（たとえば、ホーム加入者サーバ（home subscriber server））に、アクセスポイントに関係するユーザデータについての要求を送ることと、上記要求に対する応答を受信することであって、上記応答が少なくとも１つのアプリケーションサーバを識別する、受信することと、識別された少なくとも１つのアプリケーションサーバに登録ステータス情報を送ることとを備え得る。
【０００９】
本開示は、いくつかの態様では、アクセス端末が、指定されたアクセスポイント（たとえば、フェムトアクセスポイント）のカバレージ（coverage）内にあるとき、アクセス端末がいくつかのアプリケーションへのアクセスを獲得することを可能にすることに関する。たとえば、ＩＰサービス（たとえば、ＩＭＳ）に登録されているアクセス端末または回線交換ベースの（circuit switched-based）（ＣＳベースの）アクセス端末は、アクセス端末が複数のアクセスポイントのうちの１つのカバレージ内にあるときはいつでも、アクセス端末がその複数のアクセスポイントに登録しようとする、これらのアクセスポイントのリストを用いて構成され得る。この登録の結果として、対応するアプリケーションサーバは、アクセス端末が特定のアクセスポイントにあることを通知される。このようにして、そのアクセスポイントのカバレージ内にアクセス端末があるとき、アクセス端末は、そのアクセスポイントに関連する特定のアプリケーションへのアクセスを許可され得る。
【００１０】
本開示は、いくつかの態様では、アクセス端末がいくつかのアクセスポイントのうちのいずれかのカバレージ内にあるときはいつでも、それらのアクセスポイントに登録するアクセス端末に関する。たとえば、通信の方法が、アクセス端末においてリストを維持することであって、上記リストは、アクセス端末が少なくとも１つのアクセスポイントに登録しようとするその少なくとも１つのアクセスポイントを識別する、維持することと、第１のアクセスポイントから信号を受信することと、第１のアクセスポイントが上記リストによって識別されると判断することと、第１のアクセスポイントが上記リストによって識別されるという判断の結果として、第１のアクセスポイントに登録することとを備え得る。
【００１１】
本開示のこれらおよび他の例示的な態様について、以下の詳細な説明および添付の特許請求の範囲、ならびに添付の図面において説明する。
【図面の簡単な説明】
【００１２】
【図１】指定されたアクセスポイントにおいて指定されたアプリケーションへのアクセスを与えるように適応された通信システムのいくつかの例示的な態様の簡略ブロック図。
【図２】アプリケーションサーバに登録ステータス情報を与えることに関連して実行され得る動作のいくつかの例示的な態様のフローチャート。
【図３】アクセスポイント登録および登録解除に関連して実行され得る動作のいくつかの例示的な態様のフローチャート。
【図４】アクセスポイント登録および登録解除に関連して実行され得る動作のいくつかの例示的な態様のフローチャート。
【図５】アクセス端末がアクセスポイントのカバレージに入るときに登録することに関連して実行され得る動作のいくつかの例示的な態様のフローチャート。
【図６】アクセス端末がアクセスポイントのカバレージに入るときに登録することに関連して実行され得る動作のいくつかの例示的な態様のフローチャート。
【図７】フェムトゾーンを備える通信システムのいくつかの例示的な態様の簡略ブロック図。
【図８】フェムトアクセスポイント登録に関連する例示的な呼フロー（call flow）を示す簡略図。
【図９】ＩＭＳ登録アクセス端末（IMS registered access terminal）の登録に関連する例示的な呼フローを示す簡略図。
【図１０】ＩＭＳ登録アクセス端末の登録に関連する例示的な呼フローを示す簡略図。
【図１１】１ｘ−ＣＳアクセス端末の登録に関連する例示的な呼フローを示す簡略図。
【図１２】１ｘ−ＣＳアクセス端末の登録に関連する例示的な呼フローを示す簡略図。
【図１３】通信ノードにおいて採用され得る構成要素のいくつかの例示的な態様の簡略ブロック図。
【図１４】ワイヤレス通信システムの簡略図。
【図１５】フェムトノードを含むワイヤレス通信システムの簡略図。
【図１６】ワイヤレス通信のためのカバレージエリアを示す簡略図。
【図１７】通信構成要素のいくつかの例示的な態様の簡略ブロック図。
【図１８】本明細書で教示するように指定されたアプリケーションへのアクセスを可能にするように構成された装置のいくつかの例示的な態様の簡略ブロック図。
【図１９】本明細書で教示するように指定されたアプリケーションへのアクセスを可能にするように構成された装置のいくつかの例示的な態様の簡略ブロック図。
【詳細な説明】
【００１３】
慣例により、図面に示す様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているとは限らないことがある。最後に、明細書および図の全体にわたって同様の特徴を示すために同様の参照番号が使用されることがある。
【００１４】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、１つの態様は、１つの請求項の少なくとも１つの要素を備え得る。
【００１５】
図１に、例示的な通信システム１００（たとえば、通信ネットワークの一部分）のいくつかのノードを示す。説明のために、本開示の様々な態様について、互いに通信する１つまたは複数のアクセス端末、アクセスポイント、およびネットワークエンティティの文脈で説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢなどと呼ばれることがあり、または基地局、ノードＢ、ｅノードＢなどとして実装されることがあり、アクセス端末は、ユーザ機器（ＵＥ）、移動局などと呼ばれることがあり、またはユーザ機器（ＵＥ）、移動局などとして実装されることがある。
【００１６】
システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２）に１つまたは複数のサービスへのアクセス（たとえば、ネットワーク接続性）を与える。たとえば、様々な時点において、アクセス端末１０２は、アクセスポイント１０４、またはシステム１００中の何らかのアクセスポイント（図示せず）に接続し得る。これらのアクセスポイントの各々は、ワイドエリアネットワーク接続性を可能にするために、（便宜上、ネットワークエンティティ１０６、１０８、および１１０によって表される）１つまたは複数のネットワークエンティティと通信し得る。
【００１７】
これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御(call control)、セッション管理、モビリティ管理、ゲートウェイ機能、インターワーキング（interworking）機能のうちの１つまたは複数などの機能、または何らかの他の好適なネットワーク機能を表し得る。いくつかの態様では、モビリティ管理は、追跡エリア、ロケーションエリア、ルーティングエリア、または何らかの他の好適な技法を使用することによってアクセス端末の現在のロケーションを追跡することと、アクセス端末のページングを制御することと、登録関係の動作を実行することと、アクセス端末のためのアクセス制御を行うこととに関する。これらのネットワークエンティティのうちの２つ以上が共同設置され得、および／またはこれらのネットワークエンティティのうちの２つ以上がネットワーク全体にわたって分散され得る。
【００１８】
本開示は、いくつかの態様では、アクセス端末１０２および他のアクセス端末がアクセスポイント１０４（たとえば、フェムトアクセスポイント）および他のアクセスポイントから利用可能である特定のアプリケーションへのアクセスを獲得することを可能にする技法に関する。たとえば、アクセスポイント１０４は、アプリケーションの１つのセットへのアクセスを与え得、別のフェムトアクセスポイントは、アプリケーションの別のセットへのアクセスを与え得る。本明細書では、このアクセスを可能にするための様々な技法について説明する。
【００１９】
アクセスポイント１０４は、（１つまたは複数のアプリケーションサーバを備える）ネットワークエンティティ１１０によってサービスされる１つまたは複数のアプリケーション１１２へのアクセスを与えるように構成可能である。単純な例として、ＩＰサービス（たとえば、ＩＭＳ）に登録すると、アクセスポイント１０４および／またはアクセス端末１０２はアプリケーションＡ、Ｂ、およびＣに加入（subscribed）し得る。このようにして、アクセス端末１０２がアクセスポイント１０４によってサービスされるとき、アクセス端末１０２はアプリケーションＡ、Ｂ、およびＣのうちのいずれか１つへのアクセスを獲得し得る。
【００２０】
これらのアプリケーションのうちの所与の１つへのアクセスをトリガするために、関連するアプリケーションサーバは、アクセスポイント１０４および／またはアクセス端末１０２の登録ステータスを通知される。
【００２１】
たとえば、ネットワークエンティティ１０６（たとえば、登録コントローラ１２４）は、ネットワークエンティティ１１０に登録ステータス情報１１６を送って、アクセスポイント１０４が登録したことを適切なアプリケーションサーバに通知し得る。この登録情報を受信すると、アプリケーションサーバは、アクセスポイント１０４によってサービスされているアクセス端末が（１つまたは複数の）加入したアプリケーションを使用することを許す。ここで、アクセスポイント１０４（たとえば、登録コントローラ１１８）は、ネットワークエンティティ１０６に登録メッセージ１２０を送ることによって登録を開始する。登録メッセージ１２０は、たとえば、セル識別子など、アクセスポイント１０４の識別子（ＡＰ＿ＩＤ）を含む。登録メッセージ１２０を受信すると、ネットワークエンティティ１０６は、適切なアプリケーションサーバを識別し（後述）、そのアプリケーションサーバに、対応する登録ステータス情報１１６を送る。
【００２２】
同様に、ネットワークエンティティ１０６（たとえば、登録コントローラ１２４）は、ネットワークエンティティ１１０に登録ステータス情報１１６を送って、アクセス端末１０２がアクセスポイント１０４にある（たとえば、アクセス端末１０２がアクセスポイント１０４に登録した）ことを適切なアプリケーションサーバに通知し得る。この登録情報を受信すると、アプリケーションサーバは、アクセス端末１０２がアクセスポイント１０４において（１つまたは複数の）加入したアプリケーションを使用することを許す。
【００２３】
この場合、アクセス端末１０２は、それがアクセスポイント１０４の近くに（たとえば、アクセスポイント１０４のカバレージ内に）あるとアクセス端末１０２が判断するときはいつでもアクセスポイント１０４に登録するように構成され得る。たとえば、アクセス端末１０２は、アクセス端末１０２がこれらのアクセスポイントのうちの１つのカバレージ内にあるときはいつでも、アクセス端末１０２がこれらのアクセスポイントに登録しようとする、そのこれらのアクセスポイントのリスト（ＡＰリスト１２２）を維持し得る。アクセス端末１０２がアクセスポイント１０４の近傍にあるとき、アクセス端末１０２はアクセスポイント１０４からブロードキャストメッセージ１２４を受信し、ブロードキャストメッセージはアクセスポイント１０４の識別子（ＡＰ＿ＩＤ）を備える。したがって、近傍検出器(proximity detector)１２６は、受信したＡＰ＿ＩＤ１２８がＡＰリスト１２２中にあるかどうかを判断することによって、アクセス端末１０２がアクセスポイント１０４の近傍にあるかどうかを判断し得る。そうであれば、アクセス端末（たとえば、登録コントローラ１３０）は、アクセスポイント１０４に登録メッセージ１３２を送ることによってアクセスポイント１０４に登録する。登録メッセージ１３２は、たとえば、アクセス端末１０２の識別子ならびにアクセスポイント１０４の識別子を含み得る。アクセスポイント１０４は、次に、登録メッセージをネットワークエンティティ１０６にフォワーディング(forwards)する。この登録メッセージを受信すると、ネットワークエンティティ１０６は、適切なアプリケーションサーバを識別し（後述）、そのアプリケーションサーバに、対応する登録ステータス情報１１６を送る。
【００２４】
本明細書の教示によれば、ネットワークエンティティ１０６は、アクセスポイント１０４またはアクセス端末１０２の登録に関する登録メッセージを受信すると、登録ステータス情報１１６が送られるべき適切なアプリケーションサーバを識別する。たとえば、ネットワークエンティティ１０６は、（たとえば、ユーザ加入データ(user subscription data)１３６を維持する）ネットワークエンティティ１０８に、特定のアクセスポイントに関連するアプリケーションサーバ情報についての要求１３４を送り得る。したがって、この例では、要求１３４は、アクセスポイント１０４の（ＡＰ＿ＩＤ）を含み、アクセス端末１０２の識別子を含み得る。この要求に応答して、ネットワークエンティティ１０８は、アクセスポイント１０４（たとえば、および場合によってはアクセス端末１０２）に関連する１つまたは複数のアプリケーションサーバを識別するリスト１４０を送る。リスト１４０を受信すると、ネットワークエンティティ１０６は、リスト１４０によって識別される（１つまたは複数の）アプリケーションサーバに、対応する登録ステータス情報１１６を送る。
【００２５】
また、アプリケーションサーバは、アプリケーションへのアクセスを終了することに関連してアクセスポイント１０４および／またはアクセス端末１０２の登録ステータスを通知され得る。たとえば、ネットワークエンティティ１０６は、アクセスポイント１０４が登録解除するか、アクセス端末１０２が登録解除するか、またはアクセス端末１０２がアクセスポイント１０４のカバレージを出るときはいつでも、適切なアプリケーションサーバに通知し得る。
【００２６】
図１で説明した動作など、ネットワークエンティティによって実行され得る例示的な動作について、図２のフローチャートに関連してより詳細に説明する。特に、この例では、ネットワークエンティティがアクセス端末またはアクセスポイントの登録ステータスを１つまたは複数のアプリケーションサーバにどのように通知し得るかを示す。また、これらの概念をさらに示すために、図２の動作については、フェムトコンバージェンスサーバ（femto convergence server）（ＦＣＳ）が、フェムトアクセスポイント（femto access point）（ＦＡＰ）に関連する（１つまたは複数の）アプリケーションサーバを識別したいという要求をホーム加入者サーバ（home subscriber server）（ＨＳＳ）に送る、例示的な３ＧＰＰ２シナリオに関して説明する。ただし、開示する概念は３ＧＧＰ２ベースのシステムに限定されないことを諒解されたい。
【００２７】
便宜上、図２の動作（あるいは本明細書で説明または教示する他の動作）については、特定の構成要素（たとえば、図１、図７、または図１３の構成要素）によって実行されるものとして説明することがある。ただし、これらの動作は、他のタイプの構成要素によって実行され、異なる数の構成要素を使用して実行され得ることを諒解されたい。また、本明細書で説明する動作のうちの１つまたは複数は、所与の実装形態では採用されないことがあることを諒解されたい。
【００２８】
ブロック２０２によって表されるように、第１のネットワークエンティティが、アクセスポイントに関連する登録ステータスの変化があったと判断する。登録ステータスのこの変化は、たとえば、アクセスポイントの登録、アクセス端末の登録、アクセスポイントの登録解除、アクセス端末の登録解除、または何らかの他の状態に関与し得る。上記で説明したように、第１のネットワークエンティティは、アクセスポイントまたはアクセス端末からの登録メッセージの受信に基づいて登録ステータスのそのような変化を検出し得る。
【００２９】
例示的な３ＧＰＰ２シナリオでは、ブロック２０２の動作は、ＦＣＳが、ＦＡＰまたはＦＡＰにおけるアクセス端末がＩＭＳに登録したかまたはＩＭＳから登録解除したと判断することに関与し得る。以下でより詳細に説明するように、ＦＡＰまたはアクセス端末の登録により、そのＦＡＰに関連するＦＣＳにメッセージが送られる。したがって、このメッセージを受信すると、ＦＣＳは登録ステータスの変化を検出し得る。
【００３０】
ブロック２０４によって表されるように、第１のネットワークエンティティは、第２のネットワークエンティティに、アクセスポイントに関係するユーザデータについての要求を送る。ここで、上記要求の性質（たとえば、上記要求に関連する特定のコマンド）または上記要求中に含まれる情報（たとえば、コマンドパラメータ）は、アクセスポイントに関連するいずれかのアプリケーションサーバに関する情報が要求されていることを示す。たとえば、コマンドは、アクセスポイントに関連するすべての情報が与えられることを要求し得（それにより本質的にアプリケーションサーバ情報を要求する）、またはコマンドは、アプリケーションサーバ情報が与えられることを明示的に要求し得る。さらに、上記要求は、第２のネットワークエンティティがアクセスポイントの識別（identity）を判断することを可能にするような方法で送られる（たとえば、上記要求はアクセスポイント識別子を含む）。
【００３１】
例示的な３ＧＰＰ２シナリオでは、ブロック２０４の動作は、ＦＣＳが、いずれかのＦＡＰ関係のユーザデータを要求するためのダイアメータープロトコル（Diameter protocol）ユーザデータ要求（User-Data-Request）（ＵＤＲ）をＨＳＳに送ることに関与し得る。このＵＤＲは、たとえば、ＦＡＰ識別と、ＦＡＰに関係する加入データとを含み得る。
【００３２】
ブロック２０６によって表されるように、第２のネットワークエンティティは、上記要求を受信し、対応する応答を第１のネットワークエンティティに送る。この応答は、少なくとも１つのアプリケーションサーバを識別し得る。たとえば、上記応答は、アクセスポイントに関連する１つまたは複数のアプリケーションサーバのリストを含み得る。
【００３３】
例示的な３ＧＰＰ２シナリオでは、ブロック２０６の動作は、ＨＳＳが、ダイアメータープロトコル（Diameter protocol）ユーザデータ返答（User-Data-Answer）（ＵＤＡ）をＦＣＳに送ることに関与し得る。このＵＤＡは、たとえば、ＦＡＰが加入したアプリケーションサーバのリストを含み得る。
【００３４】
ブロック２０８において、第１のネットワークエンティティは上記応答を受信する。それにより、第１のネットワークエンティティ（たとえば、ＦＣＳ）は、アクセスポイント（たとえば、ＦＡＰ）に関連する少なくとも１つのアプリケーションサーバを識別する。
【００３５】
ブロック２１０によって表されるように、第１のネットワークエンティティは、識別された少なくとも１つのアプリケーションサーバに登録ステータス情報を送る。たとえば、第１のネットワークエンティティは、アクセスポイントまたはアクセス端末の登録または登録解除を各アプリケーションサーバに通知するメッセージを送り得る。
【００３６】
例示的な３ＧＰＰ２シナリオでは、ブロック２１０の動作は、ＦＣＳが、ＦＡＰ登録またはアクセス端末登録のステータスに関して（たとえば、ＦＡＰのユーザプロファイルに記載されている、および、ＦＡＰが加入した）各アプリケーションサーバに通知すること関与し得る。たとえば、ＦＣＳは、（たとえば、ブロック２０２の判断に従って）ＦＡＰがＩＭＳ登録されていること、またはＦＡＰが登録解除したことを各アプリケーションサーバに通知し得る。
【００３７】
図３および図４を参照しながら、アクセスポイントの登録および登録解除に関連して実行され得る例示的な動作についてより詳細に説明する。ここでも、例示的な３ＧＧＰ２ベースのシステムに関してさらなる例示を与える。
【００３８】
図３のブロック３０２によって表されるように、ある時点において、アクセスポイントが少なくとも１つのアプリケーションサーバに加入する（subscribe）。たとえば、ユーザがネットワーク事業者からＦＡＰを購入するとき、事業者は、ＦＡＰを介して許可されたサービスのセットを提供するようにネットワークとＦＡＰとを構成し得る。したがって、ＦＡＰは、アプリケーションサーバによってサービスされる少なくとも１つのアプリケーションのためのアクセスを（たとえば、ＦＡＰのホームアクセス端末に）与えることを許可され得る。
【００３９】
ブロック３０４によって表されるように、ある時点において（たとえば、電源投入後に）、アクセスポイントは、アクセスポイントの識別子を含む登録メッセージをネットワークに送る。たとえば、ＦＡＰは、ＩＭＳに登録することと併せて登録メッセージを送り得る。
【００４０】
ブロック３０６によって表されるように、ネットワークは、登録メッセージに基づいてアクセスポイントの登録ステータスを判断する。たとえば、ＦＡＰによる登録メッセージの送信により、登録メッセージがＦＣＳに送られる。このメッセージの受信に基づいて、ＦＣＳは、次いで、ＦＡＰがＩＭＳに登録したと判断し得る。
【００４１】
ブロック３０８によって表されるように、ネットワークは、アクセスポイントの登録ステータスの通知を要求する各アプリケーションサーバを識別する。たとえば、いくつかのアプリケーションは、いずれかの加入したアクセスポイントの登録ステータスに関する情報を受信することが望ましい。したがって、所与のアクセスポイントが、あるアプリケーションについて加入したとき、そのアプリケーションはアクセスポイントの登録ステータスのいかなる変化をも通知されるべきであることが（たとえば、対応する加入データにおいて）示され得る。ブロック２０４〜２０８において上記で説明したように、ＦＣＳは、ＦＡＰ識別子を含む要求をＨＳＳに送ることによって、ＦＡＰに関連する（１つまたは複数の）アプリケーションサーバのリストを取得し得る。
【００４２】
ブロック３１０によって表されるように、アプリケーションサーバ情報を収集すると、ネットワークは、（１つまたは複数の）識別されたアプリケーションサーバにアクセスポイントについての登録ステータス情報を送る。この例では、ブロック３０６の判断に基づいて、ＦＣＳは、ＦＡＰがＩＭＳに登録したことを（１つまたは複数の）アプリケーションサーバに通知する。
【００４３】
図４のブロック３１２によって表されるように、この通知を受信したアプリケーションサーバは、アクセスポイントの登録ステータスに基づいて適切なアクションをとる。たとえば、アプリケーションサーバは、アクセスポイントの加入によって指定された１つまたは複数のアプリケーションにアクセスポイントがアクセスすることを可能にするために、状態変数をセットアップし、他の動作を実行し得る。
【００４４】
その後、アクセス端末がアクセスポイントにアクセスするとき、アクセス端末は、アクセス端末がそのアクセスポイントにある間、（１つまたは複数の）指定されたアプリケーションにアクセスすることを許され得る。したがって、本明細書の教示は、ネットワーク中の（たとえば、異なるＦＡＰに関連する）異なるゾーンにおいて（異なるアプリケーションによって与えられる）異なる機能をサポートするために採用され得る。
【００４５】
ブロック３１４によって表されるように、ある後の時点において、アクセスポイントはネットワークから登録解除される（たとえば、ＦＡＰはＩＭＳから登録解除する）。この場合、アクセスポイントは、登録解除を開始するためにネットワークに登録メッセージを送る。
【００４６】
ブロック３１６によって表されるように、この登録メッセージを受信することの結果として、ネットワークは、アクセスポイントの登録ステータスを判断し、アクセスポイントに関連する（１つまたは複数の）アプリケーションサーバに、対応する登録ステータス情報を送る。たとえば、ＦＣＳは、ＦＡＰがＩＭＳから登録解除したことを（１つまたは複数の）アプリケーションサーバに通知し得る。
【００４７】
いくつかの実装形態では、ネットワークエンティティ（たとえば、ＦＣＳ）は、現在登録されているアクセスポイントにどのアプリケーションサーバが関連するかに関して、ネットワークエンティティが前に受信した情報の記録を維持し得る。したがって、そのような場合、アクセスポイントから登録解除メッセージを受信すると、ネットワークエンティティは、アプリケーションサーバリストについて他のネットワークエンティティ（たとえば、ＨＳＳ）に再び問い合わせる必要はない。しかしながら、ネットワークエンティティがこの情報を保存しない実装形態では、ネットワークエンティティは、アプリケーションサーバリストについて上記他のネットワークエンティティに問い合わせることになる。
【００４８】
ブロック３１８によって表されるように、各アプリケーションサーバは、アクセスポイントの新しい登録ステータスに基づいて適切なアクションをとる。たとえば、アプリケーションサーバは、１つまたは複数の指定されたアプリケーションへのアクセスポイントのアクセスを終了するために、状態変数をクリアし、他の動作を実行し得る。
【００４９】
図５および図６を参照しながら、アクセスポイントにおけるアクセス端末の登録および登録解除に関連して実行され得る例示的な動作についてより詳細に説明する。特に、この例では、アクセス端末がアクセスポイントのカバレージ内にあるとアクセス端末が判断するときはいつでも、アクセス端末がアクセスポイントに登録する、実装形態について説明する。ここでも、例示的な３ＧＧＰ２ベースのシステムに関してさらなる例示を与える。
【００５０】
図５のブロック５０２によって表されるように、アクセス端末がＩＭＳクライアントを備える実装形態では、アクセス端末は、ある時点においてＩＰサービス（たとえば、ＩＭＳ）に登録する。この登録より前に、またはこの登録と併せて、アクセス端末は、アクセス端末が１つまたは複数の指定されたアクセスポイントにあるときはいつでも、アクセス端末が１つまたは複数の指定されたアプリケーションサーバを介して１つまたは複数の定義されたサービスにアクセスし得るように、ネットワークにおいて加入する。たとえば、所与のＦＡＰの所有者は、特定のアクセス端末がそのＦＡＰを介していくつかのサービスへのアクセスを有することを許可し得る。この場合、その所有者は、（たとえば、ウェブインターフェースまたは何らかの他の好適なプロシージャを介して）ＦＡＰを構成し、それにより、ＦＡＰを介してそのアクセス端末に許可されたサービスのセットを提供するようにネットワークを構成し得る。同様に同じサービスおよび／または他のサービスへのアクセスを与える他のＦＡＰのために同様の許可プロシージャが採用され得る。したがって、アクセス端末は、異なるアプリケーションサーバによってサービスされる異なるアプリケーションにアクセスするように加入し得、それにより、所与の時間においてアクセス端末にとって利用可能なアプリケーションは、アクセス端末を現在サービスしているＦＡＰに依存する。
【００５１】
本明細書の教示によれば、アクセス端末（たとえば、ＩＭＳクライアントを備えるアクセス端末またはＩＭＳクライアントを備えないＣＳベースのアクセス端末）が所与のアクセスポイントに関連するアプリケーションへのアクセスを獲得することを可能にするために、アクセス端末は、それがこれらのアクセスポイントのうちの１つのカバレージ内に入るときはいつでも登録するように構成される。この目的で、ブロック５０４によって表されるように、アクセスポイントは、アクセス端末が（１つまたは複数の）アクセスポイントのカバレージ内にある場合、アクセス端末がアクセスポイントに登録しようとする、その（１つまたは複数の）アクセスポイントを識別するリストを維持する。たとえば、アクセスポイントはＦＡＰ識別子（たとえば、セル識別子）のリストを維持し得る。
【００５２】
ブロック５０６によって表されるように、アクセス端末がネットワーク全体にわたって移動するにつれて、アクセス端末はネットワーク中の異なる複数のアクセスポイントから信号を受信することになる。たとえば、アクセス端末は、ネットワーク中のマクロアクセスポイントおよびフェムトアクセスポイントによってブロードキャストされたパイロット信号およびシステム情報を受信し得る。概して、これらの信号は、（たとえば、信号中に含まれているセル識別子および／または他の情報に基づいて）それらの信号をブロードキャストしたアクセスポイントのタイプと、それらのアクセスポイントの識別とに関する指示を与え得る。したがって、受信した信号に基づいて、アクセス端末は、それが特定のタイプのアクセスポイント（たとえば、ＦＡＰ）のカバレージ内にあると判断し、そのアクセスポイントの識別子を収集し得る。
【００５３】
ブロック５０８によって表されるように、アクセス端末は、次いで、アクセスポイントがリストによって識別されるかどうかを判断する。たとえば、アクセス端末は、ブロック５０６において収集されたＦＡＰ識別子がリスト中にあると判断し得る。
【００５４】
ブロック５１０によって表されるように、受信した信号を発信したアクセスポイントがリストによって識別されるという判断の結果として、アクセス端末はそのアクセスポイントに登録する。たとえば、ＩＭＳクライアントをもつアクセス端末は、ＩＭＳに再登録するためにアクセスポイントに登録メッセージを送り得る。別の例として、ＣＳベースのアクセス端末は、アクセスポイントに登録するために登録メッセージを送り得る。いずれの場合も、登録メッセージは、アクセス端末の識別子とアクセスポイントの識別子とを含み得る。このようにして登録することによって、アクセス端末は、アクセス端末が特定のＦＡＰに存在することを（１つまたは複数の）適切なアプリケーションサーバに通知し得る。
【００５５】
ブロック５１２によって表されるように、ネットワークは、アクセス端末の登録に基づいてアクセスポイントの登録ステータスを判断する。たとえば、アクセス端末による登録メッセージの送信により、登録メッセージがＦＣＳに送られる。このメッセージの受信に基づいて、ＦＣＳは、次いで、アクセス端末が特定のＦＡＰに登録したと判断し得る。
【００５６】
図６のブロック５１４によって表されるように、ネットワークは、アクセス端末の登録ステータスの通知を要求する各アプリケーションサーバを識別する。たとえば、指定されたアクセスポイントにおける指定された加入したアクセス端末に選択されたサービスを提供するために、場合によっては、それらのサービスをサポートするアプリケーションは、それらのアクセスポイントにおけるそれらのアクセス端末の登録ステータスに関する情報を受信することが望ましい。したがって、所与のアクセス端末が、あるアクセスポイントにおいて、あるアプリケーションについて加入したとき、そのアプリケーションは、そのアクセスポイントにおけるアクセス端末の登録ステータスのいかなる変化をも通知されるべきであることが、（たとえば、対応する加入データにおいて）示され得る。ブロック２０４〜２０８において上記で説明したように、ＦＣＳは、対応するＦＡＰ識別子とアクセス端末識別子とを含む要求をＨＳＳに送ることによって、所与のアクセス端末とＦＡＰとの組合せに関連する（１つまたは複数の）アプリケーションサーバのリストを取得し得る。
【００５７】
ブロック５１６によって表されるように、アプリケーションサーバ情報を収集すると、ネットワークは、（１つまたは複数の）識別されたアプリケーションサーバにアクセス端末についての登録ステータス情報を送る。たとえば、ブロック５１２の判断に基づいて、ＦＣＳは、アクセス端末が特定のＦＡＰに登録したことを（１つまたは複数の）アプリケーションサーバに通知する。
【００５８】
ブロック５１８によって表されるように、この通知を受信したアプリケーションサーバは、アクセス端末の登録ステータスに基づいて適切なアクションをとる。たとえば、アプリケーションサーバは、アクセス端末がアクセスポイントにある限り、アクセス端末の加入によって指定された１つまたは複数のアプリケーションにアクセス端末がアクセスすることを可能にするために、状態変数をセットアップし、他の動作を実行し得る。したがって、この場合も、本明細書の教示は、ネットワーク中の異なる複数のゾーンにおいてアクセス端末に異なる機能を供給するための効率的な機構を与える。
【００５９】
ブロック５２０によって表されるように、ある後の時点において、アクセス端末は、それがアクセスポイントのカバレージを出ようとしていると判断する。たとえば、アクセス端末は、下位レイヤ測定に基づいてこの判断を行うことがあり、または別のアクセスポイントへのハンドオーバが保証されていることをネットワークによって通知されていることがある。
【００６０】
したがって、ブロック５２２によって表されるように、アクセスポイントは、登録解除プロセスを開始するためにアクセスポイントに再登録する。たとえば、アクセス端末は、アクセス端末が登録解除していることを示す、またはアクセス端末がアクセスポイントを出つつあるという何らかの他の指示を与える、登録メッセージを送り得る。
【００６１】
ブロック５２４によって表されるように、この登録メッセージを受信することの結果として、ネットワークは、アクセスポイントの新しい登録ステータスを判断し、アクセスポイントに関連する（１つまたは複数の）アプリケーションサーバに、対応する登録ステータス情報を送る。たとえば、ＦＣＳは、アクセス端末が特定のＦＡＰから登録解除したことを（１つまたは複数の）アプリケーションサーバに通知し得る。
【００６２】
この場合も、いくつかの実装形態では、ネットワークエンティティ（たとえば、ＦＣＳ）は、現在登録されているアクセスポイントおよびアクセス端末にどのアプリケーションサーバが関連するかに関して、ネットワークエンティティが前に受信した情報の記録を維持し得る。したがって、そのような場合、アクセス端末が登録解除しているかまたは出つつあることを示すメッセージを受信すると、ネットワークエンティティは、アプリケーションサーバリストについて他のネットワークエンティティ（たとえば、ＨＳＳ）に再び問い合わせる必要はない。しかしながら、ネットワークエンティティがこの情報を保存しない実装形態では、ネットワークエンティティは、アプリケーションサーバリストについて上記他のネットワークエンティティに問い合わせることになる。
【００６３】
ブロック５２６によって表されるように、各アプリケーションサーバは、アクセスポイントの新しい登録ステータスに基づいて適切なアクションをとる。たとえば、アプリケーションサーバは、現在のアクセスポイントにおいて１つまたは複数の指定されたアプリケーションへのアクセス端末のアクセスを終了するために、状態変数をクリアし、他の動作を実行し得る。
【００６４】
次に図７〜図１２を参照しながら、本明細書で教示する概念がどのように採用され得るかのいくつかのより具体的な例について、３ＧＰＰ２ベースのシステムの文脈で説明する。図７は、フェムトゾーンがネットワークにおいてどのように展開され得るかを示す、３ＧＰＰ２ベースのシステム７００の一例である。図８〜図１２は、たとえば、ネットワークにおけるフェムトゾーンの展開を可能にするために、使用され得る異なる複数の技法を示す例示的な呼フローである。
【００６５】
最初に図７を参照すると、システム７００は、フェムトゾーン７０２と、フェムトネットワーク７０４と、マクロネットワーク７０６との例を示している。ここで、アクセス端末ＡＴ１およびＡＴ２（たとえば、移動局、ＵＥなど）は、マクロネットワーク７０６のｃｄｍａ２０００  １ｘ基地局（ＢＳ）またはアクセスネットワーク（ＡＮ）あるいはフェムトゾーン７０２のＦＡＰを介してネットワーク接続性を得ることがある。実際のネットワークは、概して、はるかに多くのＢＳ、ＡＮ、およびＦＡＰを含むものであることを諒解されたい。マクロネットワーク７０６は、高速パケットデータ（high rate packet data）（ＨＲＰＤ）アクセスとボイスアクセスとを与えるためのいくつかの従来の構成要素を示しており、マクロネットワーク７０６についてはこれ以上説明しない。
【００６６】
フェムトゾーン７０２は、ＦＡＰを介してローカルおよびネットワークベースのサービスへのアクセスを与える。たとえば、ＦＡＰは、ＩＰネットワーク（たとえば、ＦＡＰ所有者の自宅または会社におけるローカルエリアネットワーク）へのローカルＩＰアクセス（local IP access）（ＬＩＰＡ）を与える。さらに、ＦＡＰは、フェムトネットワーク７０４へのＦＡＰアクセスのためのセキュリティ機能を与えるセキュリティゲートウェイ（security gateway）（ＳｅＧＷ）に接続される。ここで、アクセス端末は、ＨＲＰＤアクセス、ボイスアクセス、および１つまたは複数のアプリケーションサーバなど、様々なタイプのフェムトネットワークサービスへのアクセスを得ることがある。
【００６７】
アプリケーションサーバは、様々な実装形態において様々な方法で実装され得る。たとえば、アプリケーションサーバは、フェムトネットワークまたはコアネットワーク内に展開され得、それにより、アプリケーションサーバへのアクセスは、潜在的に、これらのネットワーク内で動作しているどのエンティティにとっても利用可能である。また、アプリケーションサーバは、たとえば、特定のフェムトゾーン、特定のフェムトネットワーク、あるいは何らかの他のローカルゾーンまたはエリアに関連する、ローカルアプリケーションサーバであり得る。図７の例では、フェムトネットワーク７０４はＩＭＳをサポートし、それにより、アクセス端末は、ＦＡＰを介して１つまたは複数のアプリケーションサーバ７０８または他のＩＰサービスへのアクセスを獲得し得る。さらに、アクセス端末は、ＦＡＰを介して１つまたは複数のローカルアプリケーションサーバ７１０へのアクセスを獲得し得る。
【００６８】
フェムトネットワーク７０４の構成要素のうちのいくつかの例示的な動作について、以下の図８〜図１２の呼フローにおいて説明する。したがって、これらの構成要素について、ここで手短に説明する。フェムトコンバージェンスサーバ（ＰＣＳ）は、ＦＡＰと、ＩＭＳのセッション開始プロトコル（session initiation protocol）（ＳＩＰ）環境と、マクロネットワーク７０６のＭＡＰネットワーク要素との間のインターワーキングを行うアプリケーションサーバである。ＩＭＳは呼セッション制御機能（call session control function）（ＣＳＣＦ）を含み、ＣＳＣＦは、プロキシＣＳＣＦ(ｐｒｏｘｙ−ＣＳＣＦ)（Ｐ−ＣＳＣＦ）、問合わせＣＳＣＦ（ｉｎｔｅｒｒｏｇａｔｉｎｇ−ＣＳＣＦ）（Ｉ−ＣＳＣＦ）、およびサービングＣＳＣＦ（ｓｅｒｖｉｎｇ−ＣＳＣＦ）（Ｓ−ＣＳＣＦ）という機能を含む。図７では、ホーム加入者サーバ（home subscriber server）（ＨＳＳ）は、ＩＭＳ中に含まれるものとして示されている。ただし、ＨＳＳは、このようにして実装される必要はない。
【００６９】
本明細書の教示によれば、フェムトゾーンにより、ユーザは、特定のフェムトアクセスポイントにあるものとして認識されることが可能になる。したがって、ゾーン中のデバイスの存在（presence）の概念は、プレゼンスサービス（presence service）に加入したデバイス（たとえば、アクセス端末）がＦＡＰカバレージに入ったのか、ＦＡＰカバレージ下に現在あるのか、ＦＡＰカバレージを出た（left）のか、またはＦＡＰカバレージ下にないのかを判断する能力に関係する。以下で説明する呼フローは、ゾーン中存在情報（presence in a zone information）をＩＭＳアプリケーションサーバに与えるためにＩＭＳフレームワークがどのように活用され得るかを説明するのに役立つ。たとえば、本明細書で説明するように、ＩＭＳアプリケーションサーバは、アクセスポイントまたはアクセス端末が登録または登録解除するときに通知されるか、あるいはアクセス端末がアクセスポイントのカバレージ内にあるかどうかを通知され得る。
【００７０】
図８に、ＦＡＰがＩＭＳに登録するかまたはＩＭＳから登録解除するときはいつでもアプリケーションサーバが通知されるシナリオのための例示的な呼フローを示す。特に、この呼フローは、ＩＭＳを用いたＦＡＰ  ＳＩＰクライアントの登録を表す。この呼フローの終了時に、ＦＡＰ  ＳＩＰクライアントは、ＩＭＳに完全に登録され、したがって、ＦＡＰに接続するｃｄｍａ２０００  １ｘモバイルの代わりを務め得る。ここで、ＩＭＳ  ＨＳＳは、フェムトユーザエージェント（femto user agent）（ＵＡ）加入（subscriptions）が供給される（provisioned）。
【００７１】
概して、図８のステップ１〜１０は、ＦＡＰをＩＭＳに登録することに関係する。ステップ１において（たとえば、ＦＡＰの電源投入時に）、ＦＡＰはＳＩＰレジスタ（SIP REGISTER）要求（request）をＰ−ＣＳＣＦに送る。ステップ２において、Ｐ−ＣＳＣＦはＳＩＰレジスタ（SIP REGISTER）要求をＩ−ＣＳＣＦに送る。ステップ３において、Ｉ−ＣＳＣＦは、Ｓ−ＣＳＣＦアドレスを取得するためにＣｘ：ＵＡＲをＨＳＳに送る。ステップ４において、ＨＳＳは、要求されたＳ−ＣＳＣＦアドレスを示すＣｘ：ＵＡＡで返信する。ステップ５において、Ｉ−ＣＳＣＦは、ＳＩＰレジスタ（SIP REGISTER）要求をＳ−ＣＳＣＦにフォワーディングする。任意の必要とされる情報を取得する（たとえば、ＨＳＳからユーザプロファイル情報を取得する）ＦＡＰの証明書（credentials）を検証すると、ステップ６において、Ｓ−ＣＳＣＦはＳＩＰ  ２００（ＯＫ）をＩ−ＣＳＣＦに送る。ステップ７および８において、ＳＩＰ  ２００はＦＡＰにフォワーディングされ戻される。ステップ９において、Ｓ−ＣＳＣＦはサードパーティ登録要求（ＳＩＰ：レジスタ（SIP: REGISTER）要求）をＦＣＳに送る。したがって、ＦＣＳはＦＡＰの識別を与えられる。ステップ１０において、ＦＣＳはＳＩＰ  ２００（ＯＫ）で応答する。
【００７２】
概して、図８のステップ１１〜１２は、ＦＡＰの登録ステータスをアプリケーションサーバ（ＡＰＰ  ＳＥＲＶＥＲ）に通知することに関係する。ステップ１１ａにおいて、ステップ９の（ＦＡＰの登録を示す）登録メッセージを受信することの結果として、ＦＣＳは、ＦＡＰ関係のユーザデータを要求するためのユーザデータ要求をＨＳＳに送る。ステップ１１ｂにおいて、ＨＳＳは、ＦＡＰのためのアプリケーションサーバリストを含むユーザデータ返答を送る。ステップ１２において、ＦＣＳは、ＦＡＰの登録ステータスをアプリケーションサーバに通知する。
【００７３】
図８の呼フローは、ＦＡＰの登録またはＦＡＰの登録解除のいずれかに適用可能である。ＦＡＰの登録の場合、ステップ１のメッセージは、ＦＡＰが登録していることを示す。したがって、ステップ６〜８のＳＩＰメッセージは登録を確認する。さらに、ステップ９のメッセージは、ＦＡＰが登録していることを示す。この場合、ステップ１２のメッセージは、ＦＡＰがＩＭＳに登録したことをアプリケーションサーバに通知する。
【００７４】
逆に、ＦＡＰの登録解除の場合、ステップ１のメッセージは、（たとえば、メッセージ中の適切な指示に基づいて）ＦＡＰが登録解除していることを示す。したがって、ステップ６〜８のＳＩＰメッセージは登録解除を確認する。ステップ９のメッセージも、（たとえば、メッセージ中の適切な指示に基づいて）ＦＡＰが登録解除していることを示す。登録解除の場合、ＦＣＳは、上記で説明したように前に収集されたアプリケーションサーバリストを維持し得るので、ステップ１１ａおよび１１ｂを実行する必要がないことがある。さらに、この場合、ステップ１２のメッセージは、ＦＡＰがＩＭＳから登録解除したことをアプリケーションサーバに通知する。
【００７５】
図９〜図１２に、アクセス端末が、あらかじめ定義されたフェムトゾーンデータベース中のエントリに一致するＦＡＰ  ＩＤまたはＣＥＬＬ  ＩＤを有するアクセスポイントのカバレージに入る／を出るときはいつでも、アクセス端末が登録／再登録する、例示的なシナリオを示す。ここで、（特定のアプリケーションサーバを介して）所与のアクセスポイントにおいてアクセス端末によって受信されるサービスは、ユーザの加入に依存する。したがって、アクセス端末にとって利用可能なサービスは、異なるユーザロケーションにおいて（たとえば、第１のフェムトアクセスポイント、第２のフェムトアクセスポイント、またはマクロアクセスポイントにおいて）異なり得る。
【００７６】
特定のゾーン中のアクセス端末の存在に基づいてそのようなアクセス方式を可能にするために、ネットワークは、所与のアクセス端末が特定のアクセスポイントに登録するとき、いくつかのアプリケーションサーバに通知するように構成される。たとえば、アクセス端末の登録時に、サービングアクセスポイントについてのセル識別子情報が、ＳＩＰヘッダ中のＰ−Ａｃｃｅｓｓ−Ｎｅｔｗｏｒｋ−Ｉｎｆｏフィールド中に含まれる。アクセス端末のロケーション情報（たとえば、アクセス端末が登録したアクセスポイント）を取得すると、ＩＭＳネットワークは、サードパーティ登録、登録イベントパッケージ、または他のプロプライエタリな（proprietary）手段を介して、この情報を適切なアプリケーションサーバに与え得る。したがって、アクセス端末のロケーションに関心があるいずれかのアプリケーションが、この情報を受信し、それに応じてそのアプリケーションのサービスを調整し得る。
【００７７】
図９および図１０の呼フローは、ＳＩＰ：レジスタ（SIP: REGISTER）要求がアクセス端末によって送られるようにアクセス端末がＩＭＳクライアントを有する例を対象とする。ここで、ＵＥ（アクセス端末）は、ＩＭＳ登録しており、時間とともに、あるロケーションから別のロケーションに移動する。この移動中に、ＵＥは常にＩＭＳ登録されている。ＵＥが第１のロケーションにあるとき、ＵＥはＦＡＰ  ＩＤおよびＣＥＬＬ  ＩＤを検査する。ＦＡＰ  ＩＤまたはＣＥＬＬ  ＩＤがフェムトゾーンデータベース中のエントリに一致するとＵＥが判断した場合、ＵＥは、ＩＭＳ再登録し、ロケーション情報および他の関連データをＩＭＳネットワークに与えることになる。
【００７８】
最初に図９を参照すると、ＵＥが、指定されたＣＥＬＬ  ＩＤ（すなわち、データベース中にあるＣＥＬＬ  ＩＤ）をもつＦＡＰ上に登録することの結果として、ＳＩＰ：レジスタ（SIP: REGISTER）がトリガされる。ここで、ＨＳＳによって維持される初期フィルタ基準（initial Filter Criteria）（ｉＦＣ）が、ＳＩＰメッセージの受信を特定のアプリケーションサーバと照合するトリガのセットを備える。フェムトゾーンの場合、ＨＳＳは、ＵＥのＩＭＳサービスプロファイルの一部としてサービスのためのｉＦＣで更新される。ステップ４ｂにおいてＳ−ＣＳＣＦがｉＦＣを受信するとき、ＳＩＰヘッダ中のＣＥＬＬ  ＩＤがｉＦＣに一致する場合、Ｓ−ＣＳＣＦは、ＵＥがＦＡＰ下にあることを適切なアプリケーションサーバに通知するようにトリガされる。
【００７９】
概して、図９のステップ１〜３および６は、ＵＥを登録することに関係する。この呼フローでは、ＵＥがすでにＩＭＳ登録したと仮定する。ステップ１ａにおいて、ＵＥは、ＦＡＰに到着し、ＣＥＬＬ  ＩＤがフェムトゾーンデータベース中のエントリに一致することを認識する。ＵＥは、ＳＩＰヘッダ中のＦＡＰ  ＣＥＬＬ  ＩＤとともに、ＳＩＰ：レジスタ（SIP: REGISTER）メッセージをＰ−ＣＳＣＦに送る。ステップ１ｂにおいて、Ｐ−ＣＳＣＦはＳＩＰ：レジスタ（SIP: REGISTER）メッセージをＩ−ＣＳＣＦにフォワーディングする。ステップ２ａおよび２ｂにおいて、Ｉ−ＣＳＣＦは、Ｓ−ＣＳＣＦを取得するためにＣｘ−ＱｕｅｒｙをＨＳＳに送り、Ｃｘ−Ｑｕｅｒｙ応答を受信する。ステップ３において、Ｉ−ＣＳＣＦは、ＳＩＰ：レジスタ（SIP: REGISTER）メッセージをＳ−ＣＳＣＦにフォワーディングする。ステップ４ａおよび４ｂにおいて、Ｓ−ＣＳＣＦは、ＵＥをＨＳＳに登録し、上記で説明したようにｉＦＣを取得する。ステップ５において、Ｓ−ＣＳＣＦはサービス制御を実行する。ステップ６ａ〜６ｃにおいて、Ｓ−ＣＳＣＦは、Ｉ−ＣＳＣＦとＰ−ＣＳＣＦとを介してＳＩＰ  ２００（ＯＫ）をＦＡＰに送る。
【００８０】
概して、図９のステップ７および８は、アクセス端末の登録ステータスをアプリケーションサーバ（ＡＰＰ  ＳＥＲＶＥＲ）に通知することに関係する。ステップ７において、ステップ４ｂにおいてＨＳＳから受信したｉＦＣに基づいて、Ｓ−ＣＳＣＦは、ＦＡＰ下のＵＥの存在の通知を要求する（１つまたは複数の）アプリケーションを判断し、サードパーティＳＩＰ：レジスタ（SIP: REGISTER）をアプリケーションサーバに送る。したがって、アプリケーションサーバは、ＵＥのロケーションを示す情報を与えられる。ここで、アプリケーションが、ＦＡＰ下のＵＥの存在の通知を要求しているとき、アプリケーションサーバは、ＦＡＰがＩＭＳに登録されていることをすでに通知されている。ステップ８において、アプリケーションサーバはＳＩＰ：２００（ＯＫ）で応答する。
【００８１】
また、上記で説明したように、ＵＥは、フェムトアクセスポイントカバレージの内側および外側の指定されたアプリケーションにＵＥがアクセスし得るように、ＦＡＰに入るときもＦＡＰを出るときも再登録するように構成される。ここで、（たとえば、図８に関連して上記で説明したように）登録解除は、図９で登録について説明した動作と同様の動作を採用し得る。ピンポン登録（ping-ponging registrations）を回避するために、再登録は、アクセス端末がセルの境界にあるとき、（たとえば、適切なヒステリシス方式（hysteresis scheme）によって）時間的に遅延され得る。
【００８２】
図１０に、ＵＥが、ローカルアプリケーションサーバによってサービスされるアプリケーションにアクセスし得る例を示す。この例では、（たとえば、ＨＳＳにおいて）これらのサーバがグローバルに知られていないので、ＦＣＳはローカルアプリケーションサーバと通信する。
【００８３】
概して、図１０のステップ１〜２および４は、ＵＥを登録することに関係する。この呼フローでも、ＵＥがすでにＩＭＳ登録したと仮定する。ステップ１において、ＵＥは、ＦＡＰに到着し、ＣＥＬＬ  ＩＤがフェムトゾーンデータベース中のエントリに一致することを認識する。ＵＥは、ＳＩＰヘッダ中のＦＡＰ  ＣＥＬＬ  ＩＤとともに、レジスタ（REGISTER）メッセージをＣＳＣＦに送る。ステップ２において、Ｓ−ＣＳＣＦはＵＥをＨＳＳに登録する。ここで、ユーザは、ユーザが加入した（たとえば、非ローカルアプリケーションサーバによってサービスされる）任意のマクロアプリケーションにアクセスすることを許可される。このステップにおいて、（たとえば、ローカルアプリケーションサーバによってサービスされる）ローカルアプリケーションのための許可も許可され得る。ステップ３ａおよび３ｂにおいて、Ｓ−ＣＳＣＦサードパーティは、ＵＥに代わって、それぞれ非ローカルアプリケーションサーバおよびＦＣＳに登録する。ステップ４において、Ｓ−ＣＳＣＦは、上記アプリケーションサーバおよびＦＣＳから肯定応答を受信すると、ＳＩＰ  ２００（ＯＫ）をＵＥに返す。
【００８４】
概して、図１０のステップ５および６は、アクセス端末の登録ステータスをローカルアプリケーションサーバに通知することに関係する。ステップ５において、ＦＣＳは、ＦＡＰ識別および加入データに基づいてアプリケーションサーバのリストをフェッチするためのダイアメーター要求（Diameter Request）をポピュレート（populate）する。ＨＳＳはＦＣＳにダイアメーター返答（Diameter Answer）で応答する。ステップ５は、ステップ３Ｂが、ＰＡＮＩヘッダ、ＣＥＬＬ  ＩＤ、またはＵＥがＦＡＰのカバレージ内にあることを示す他の識別子、に基づいてトリガされたＳＩＰメッセージであるかどうかを条件とし得る。この場合、ローカル（たとえばフェムト）アプリケーションのための許可は実行されていない。ステップ６において、ＦＣＳはＵＥ登録をローカルアプリケーションサーバに通知する。
【００８５】
ここでも、ＵＥは、ＦＡＰカバレージの内側および外側の指定されたアプリケーションにＵＥがアクセスし得るように、ＦＡＰに入るときもＦＡＰを出るときも再登録するように構成される。上記で説明したように、登録解除は、登録について説明した動作と同様の動作を採用し得る。さらに、セル境界においてピンポン緩和技法（ping-ponging mitigation techniques）が採用され得る。
【００８６】
図１１および図１２は、アクセス端末が１ｘ  ＣＳ（回線交換）ユーザである例を対象とする。この場合、ＦＡＰは、アクセス端末による登録時にＳＩＰ：レジスタ（SIP REGISTER）要求をＦＣＳに送る。アクセス端末が、ＦＡＰにＣＳ登録されており、ロケーションを変更する場合、アクセス端末は、そのＦＡＰからＣＳ登録解除し、アクセス端末が最終的にＣＳ登録する新しいＦＡＰへ移動することになる。次いで、新しいＦＡＰは、ＦＣＳに宛てられたＦＡＰパッケージＣＤＭＡ登録データ（たとえば、ＩＭＳＩ、ＭＥＩＤ／ＥＳＮ、ＡＵＴＨＲ、ＲＡＮＤ、ＲＡＮＤＣなど）とともにＳＩＰメッセージ（SIP MESSAGE）をネットワークに送ることによって、アクセス端末に代わって登録し、それにより、アクセス端末のロケーション情報（たとえば、ＦＡＰのＣＥＬＬ  ＩＤ）をＩＭＳネットワークに与えることになる。
【００８７】
図１１を参照すると、ＣＳＣＦは、ＳＩＰメッセージ（SIP MESSAGE）がＨＳＳにおいて初期フィルタ基準（ｉＦＣ）検索をトリガするように構成される。ＦＡＰは、上記で説明したように、それのＣＥＬＬ  ＩＤをＳＩＰメッセージの構造中に含める。したがって、ＣＳＣＦは、ＳＩＰヘッダをｉＦＣと照合することによって、ＦＡＰ下の移動局またはアクセス端末（ＭＳ／ＡＴ）の存在をそれに通知すべき（１つまたは複数の）アプリケーションを判断する。ＨＳＳは、ＭＳ／ＡＴのサービスプロファイルの一部としてサービスのためのＩＦＣで更新される。
【００８８】
ステップ１において、ＭＳ／ＡＴは、グローバルチャレンジレスポンスを含むＦＡＰに登録する。ステップ２において、ＦＡＰは、ＦＣＳに宛てられたＳＩＰメッセージ（SIP MESSAGE）においてＣＤＭＡ登録データをパッケージングする。ＦＡＰは、それのＣＥＬＬ  ＩＤを上記メッセージ（MESSAGE）中に含める。上記メッセージ（MESSAGE）はＰ−ＣＳＣＦを介してＳ−ＣＳＣＦに送られる（図示せず）。ステップ３において、Ｓ−ＣＳＣＦはＭＳ／ＡＴをＨＳＳに登録する。ステップ４において、Ｓ−ＣＳＣＦは、フィルタ基準（filter criteria）によって指定されるように上記メッセージ（MESSAGE）をＦＣＳに送る。上記メッセージ（MESSAGE）は、ＦＣＳのための総称アドレス（generic address）に宛てられるが、フィルタ基準により、特定のＦＡＰとの間のすべてのメッセージングに同じＦＣＳを使用することが可能になる。ステップ５において、ＦＣＳは上記メッセージ（MESSAGE）にＳＩＰ  ２００（ＯＫ）で応答し、ＳＩＰ  ２００（ＯＫ）はＦＡＰにルーティングされる。ステップ６において、ＦＣＳは、ＭＳ／ＡＴによって与えられ、上記メッセージ（MESSAGE）においてＦＡＰによって送られた、ＣＤＭＡ認証データで認証要求（Authentication Request）をポピュレートする。ステップ７において、認証の成功を仮定すると、認証センター（Authentication Center）（ＡｕＣ）は応答を返し、シナリオは続く。認証が失敗した場合、ＦＣＳは登録の拒否をＦＡＰにシグナリングする。ステップ８において、ＦＣＳは、サービングＭＳＣとしてＦＣＳ  ＭＳＣＩＤでＲＥＧＮＯＴをポピュレートし、それをＨＬＲに送る。ステップ９において、ＨＬＲはＦＣＳに応答し、登録が許され成功した場合、シナリオは続き、ＦＣＳは、加入者ＶＬＲデータとサービングＦＡＰ情報とをローカルデータに記憶する。登録が失敗した場合、ＦＣＳは登録の拒否をＦＡＰにシグナリングする。ステップ１０において、認証および登録の成功を仮定すると、ＦＣＳは、ＳＩＰメッセージ（SIP MESSAGE）を介して登録の完了をサービングＦＡＰにシグナリングする。ＳＩＰメッセージ（SIP MESSAGE）中には、登録ＣＤＭＡデバイス（registering CDMA device）のＭＳディレクトリ番号が含まれる。ステップ１１において、ＦＡＰは登録の成功をＭＳ／ＡＴにシグナリングする。ステップ１２において、ＦＡＰは上記メッセージ（MESSAGE）にＳＩＰ  ２００（ＯＫ）で応答する。ステップ１３において、ステップ３において受信したＨＳＳからのｉＦＣに基づいて、Ｓ−ＣＳＣＦは、ＦＡＰ下のＭＳ／ＡＴの存在の通知を要求する（１つまたは複数の）アプリケーションを判断し、サードパーティ（third-party）レジスタ（REGISTER）をアプリケーションサーバに送る。ステップ１４において、アプリケーションサーバは２００  ＯＫを返す。
【００８９】
図１１の技法を使用することによって、１ｘ−ＣＳユーザは、レガシーハンドセットを使用することによってＩＭＳネットワークとそれのアプリケーション（たとえば、付加サービス）とを使用し得る。しかしながら、これは、各ＣＳユーザにＨＳＳ中のユーザプロファイルを与えることに関与する。さらに、ステップ２における着信ＳＩＰメッセージ（incoming SIP MESSAGE）によってサードパーティ登録がトリガされる。現在、これはＴＳ２４．２２９において規定されていない。ただし、ステップ４は、ステップ２が行われるときに常にトリガされるフィルタ基準の一部として解釈され得る。
【００９０】
図１２に、ＭＳ／ＡＴが、ローカルアプリケーションサーバによってサービスされるアプリケーションにアクセスし得る例を示す。また、この例は、ＭＳ／ＡＴがＦＡＰを出るときにアプリケーションサービスが通知される場合を示している。
【００９１】
ステップ１において、ＭＳ／ＡＴは、グローバルチャレンジレスポンスを含むＦＡＰに登録する。ステップ２において、ＦＡＰは、ＦＣＳに宛てられたＳＩＰメッセージメソッド（SIP MESSAGE method）においてＣＤＭＡ登録データ（たとえば、ＩＭＳＩ、ＭＥＩＤ／ＥＳＮ、ＡＵＴＨＲ、ＲＡＮＤ、ＲＡＮＤＣ）をパッケージングする。ＦＡＰは、それのＣｅｌｌ  ＩＤをＳＩＰメッセージ（SIP MESSAGE）中に（Ｐ−Ａｃｃｅｓｓ−Ｎｅｔｗｏｒｋ−Ｉｎｆｏヘッダ中のＡｃｃｅｓｓ−ｉｎｆｏ中に）含める。上記メッセージ（MESSAGE）はＰ−ＣＳＣＦを介してＳ−ＣＳＣＦに送られる。ステップ３において、Ｓ−ＣＳＣＦは、フィルタ基準によって指定されるように上記メッセージ（MESSAGE）をＦＣＳに送る。上記メッセージ（MESSAGE）は、ＦＣＳのための総称アドレスに宛てられるが、フィルタ基準により、特定のＦＡＰとの間のすべてのメッセージングに同じＦＣＳを使用することが可能になる。ステップ４において、ＦＣＳは上記メッセージ（MESSAGE）にＳＩＰ  ２００（ＯＫ）で応答し、ＳＩＰ  ２００（ＯＫ）はＦＡＰにルーティングされる。ステップ５において、ＦＣＳは、ＭＳ／ＡＴによって与えられ、上記メッセージ（MESSAGE）においてＦＡＰによって送られた、ＣＤＭＡ認証データで認証要求をポピュレートする。ステップ６において、認証の成功を仮定すると、認証センター（ＡｕＣ）は応答を返し、シナリオは続く。認証が失敗した場合、ＦＣＳは登録の拒否をＦＡＰにシグナリングする。ステップ７において、ＦＣＳは、サービングＭＳＣとしてＦＣＳ  ＭＳＣＩＤでＲＥＧＮＯＴをポピュレートし、それをＨＬＲに送る。ステップ８において、ＨＬＲはＦＣＳに応答し、登録が許され成功した場合、ＦＣＳは、加入者ＶＬＲデータを記憶し、ＦＡＰ識別および加入データに基づいてアプリケーションサーバを判断する。ステップ９において、ＦＣＳは、ＦＡＰ識別および加入データに基づいてアプリケーションサーバのリストをフェッチするためのダイアメーター要求をポピュレートする。ＨＳＳはＦＣＳにダイアメーター返答で応答する。ステップ１０において、ＦＣＳは、フェムトネットワークへのユーザ登録について、１ｘ−ＣＳユーザが加入したアプリケーションサーバに通知する。ステップ１１において、認証および登録の成功を仮定すると、ＦＣＳは、ＳＩＰメッセージ（SIP MESSAGE）を介して登録の完了をサービングＦＡＰにシグナリングする。ＳＩＰメッセージ（SIP MESSAGE）中には、登録ＣＤＭＡデバイスのＭＳディレクトリ番号が含まれる。ステップ１２において、ＦＡＰは登録の成功をＭＳ／ＡＴにシグナリングする。ステップ１３において、ＦＡＰは上記メッセージ（MESSAGE）にＳＩＰ  ２００（ＯＫ）で応答する。ステップ１４において、ＭＳ／ＡＴがＦＡＰを出るとき、ＨＬＲはＦＣＳに通知する。ステップ１５において、ＦＣＳは、ＭＳ／ＡＴがＦＡＰを出たことをローカルアプリケーションサーバに通知する。
【００９２】
図１２の技法を使用することによって、ＦＡＰカバレージ内の１ｘ−ＣＳユーザは１ｘ−ＣＳアプリケーション（たとえば、付加サービス）を使用し得る。その上、この場合、ＣＳユーザは、ＨＳＳ中のユーザプロファイルを与えられる必要はない。
【００９３】
本明細書で説明する技法は、様々な実装形態において様々な方法で実装され得る。たとえば、本明細書の教示は、（たとえば、３ＧＰＰ２以外の）様々なタイプのネットワークにおいて採用され得る。また、アプリケーションサーバ情報を取得すること、登録ステータスについてアプリケーションサーバに通知することなどのために、（たとえば、ダイアメータープロトコル以外の）様々なタイプのメッセージが採用され得る。さらに、いくつかの実装形態では、アクセスポイントおよび／またはアクセス端末の登録ステータスを判断するネットワークエンティティ（たとえば、ＦＣＳ）は、アプリケーションサーバリストの維持をも行う。したがって、この場合、ネットワークエンティティは、別のネットワークエンティティ（たとえば、ＨＳＳ）からアプリケーションサーバリストを収集する必要はない。
【００９４】
図１３に、本明細書で教示する登録関係の動作を実行するために（たとえば、それぞれ図１のアクセス端末１０２およびネットワークエンティティ１０６に対応する）アクセス端末１３０２およびネットワークエンティティ１３０４などのノードに組み込まれ得る（対応するブロックによって表される）いくつかの例示的な構成要素を示す。説明する構成要素は、通信システム中の他のノードにも組み込まれ得る。たとえば、システム中の他のノードは、同様の機能を与えるために、アクセス端末１３０２とネットワークエンティティ１３０４とに関して説明する構成要素と同様の構成要素を含み得る。また、所与のノードは、説明する構成要素のうちの１つまたは複数を含み得る。たとえば、アクセス端末は、アクセス端末が複数の周波数上で動作し（たとえば、異なる公称キャリア周波数（nominal carrier frequencies）に関連する異なる周波数帯域上で動作し）、および／または異なる技術によって通信することを可能にする、複数のトランシーバ構成要素を含み得る。
【００９５】
図１３に示すように、アクセス端末１３０２は、他のノードと通信するためのトランシーバ１３０６を含む。トランシーバ１３０６は、信号（たとえば、メッセージ、指示）を送るための送信機１３０８を各々が含む１つまたは複数の送信チェーンと、信号（たとえば、メッセージ、指示、パイロット信号）を受信するための受信機１３１０を各々が含む１つまたは複数の受信チェーンとを含み得る。
【００９６】
ネットワークエンティティ１３０４は、他のノード（たとえば、ネットワークエンティティ）と通信するためのネットワークインターフェース１３１２を含む。たとえば、ネットワークインターフェース１３１２は、ワイヤベースまたはワイヤレスバックホールを介して１つまたは複数のネットワークエンティティと通信するように構成され得る。いくつかの態様では、ネットワークインターフェース１３１２は、ワイヤベースまたはワイヤレス通信をサポートするように構成された（たとえば、送信機および受信機構成要素を含む）トランシーバとして実装され得る。したがって、図１３の例では、ネットワークインターフェース１３１２は、信号（たとえば、メッセージ、要求）を送信するための送信機１３１４と、信号（たとえば、メッセージ、応答）を受信するための受信機１３１６とを備えるものとして示されている。
【００９７】
アクセス端末１３０２およびネットワークエンティティ１３０４は、本明細書で教示する登録関係の動作に関連して使用され得る他の構成要素をも含む。たとえば、アクセス端末１３０２は、登録関係の動作および他のアクセス関係の動作を実行すること（たとえば、アクセスポイントがリストによって識別されると判断すること、アクセスポイントに登録すること、少なくとも１つの定義されたサービスにアクセスすること、アクセス端末がカバレージを出ようとしていると判断すること、アクセスポイントから登録解除すること）と、本明細書で教示する他の関係する機能を与えることとを行うためのアクセスコントローラ１３１８を含み得る。同様に、ネットワークエンティティ１３０４は、登録関係の動作を実行すること（たとえば、アクセスポイントに関係するユーザデータについての要求を呼び出すこと、少なくとも１つのアプリケーションサーバを識別する応答を処理すること、少なくとも１つのアプリケーションサーバに登録ステータス情報を送ること、アクセスポイントの登録ステータスの変化があったと判断すること、アクセス端末の登録ステータスの変化があったと判断すること）と、本明細書で教示する他の関係する機能を与えることとを行うための登録コントローラ１３２０を含み得る。アクセス端末１３０２およびネットワークエンティティ１３０４は、それぞれ、通信を制御すること（たとえば、メッセージを送信および受信すること）と、本明細書で教示する他の関係する機能を与えることとを行うための通信コントローラ１３２２および１３２４をも含み得る。また、アクセス端末１３０２およびネットワークエンティティ１３０４は、それぞれ、情報（たとえば、識別子、少なくとも１つのアクセスポイントを識別するリスト、登録ステータス情報）を維持するための（たとえば、各々がメモリデバイスを含む）メモリ構成要素１３２６および１３２８を含む。
【００９８】
便宜上、アクセス端末１３０２およびネットワークエンティティ１３０４は、本明細書で説明する様々な例において使用され得る構成要素を含むものとして図１３に示されている。実際には、これらのブロックのうちの１つまたは複数の機能は、異なる実施形態では異なり得る。たとえば、ブロック１３１８の機能は、図１２に従って実装される展開と比較して、図１０に従って実装される展開では異なり得る。
【００９９】
図１３の構成要素は様々な方法で実装され得る。いくつかの実装形態では、図１３の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック１３０６によって表される機能の一部、ならびにブロック１３１８および１３２２によって表される機能の一部または全部は、アクセス端末の１つまたは複数のプロセッサと、アクセス端末のデータメモリとによって（たとえば、適切なコードの実行によって、および／またはプロセッサ構成要素の適切な構成によって）実装され得る。同様に、ブロック１３１２によって表される機能の一部、ならびにブロック１３２０および１３２４によって表される機能の一部または全部は、ネットワークエンティティの１つまたは複数のプロセッサと、ネットワークエンティティのデータメモリとによって（たとえば、適切なコードの実行によって、および／またはプロセッサ構成要素の適切な構成によって）実装され得る。
【０１００】
上記で説明したように、いくつかの態様では、本明細書の教示は、大規模なカバレージ（macro scale coverage）（たとえば、一般にマクロセルネットワークまたはＷＡＮと呼ばれる３Ｇネットワークなどの広域セルラーネットワーク）と、より小規模のカバレージ（smaller scale coverage）（たとえば、一般にＬＡＮと呼ばれるレジデンスベース（residence-based）または建築物ベース（building-based）のネットワーク環境）とを含むネットワークにおいて採用され得る。アクセス端末（ＡＴ）がそのようなネットワーク中を移動するとき、アクセス端末は、いくつかのロケーションでは、大規模なカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザエクスペリエンス（user experience）のために）増分キャパシティの増大と、屋内カバレージと、様々なサービスとを与え得る。
【０１０１】
本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連付けられたノードに適用され得ることを諒解されたい。たとえば、ピコ（pico）アクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【０１０２】
図１４に、本明細書の教示が実装され得る、何人かのユーザをサポートするように構成されたワイヤレス通信システム１４００を示す。システム１４００は、たとえば、マクロセル１４０２Ａ〜１４０２Ｇなど、複数のセル１４０２の通信を可能にし、各セルは、対応するアクセスポイント１４０４（たとえば、アクセスポイント１４０４Ａ〜１４０４Ｇ）によってサービスされる。図１４に示すように、アクセス端末１４０６（たとえば、アクセス端末１４０６Ａ〜１４０６Ｌ）は、時間とともにシステム全体にわたって様々なロケーションに分散され得る。各アクセス端末１４０６は、たとえば、アクセス端末１４０６がアクティブかどうか、およびアクセス端末１４０６がソフトハンドオフ中かどうかに応じて、所与の瞬間に順方向リンク（ＦＬ）および／または逆方向リンク（ＲＬ）上で１つまたは複数のアクセスポイント１４０４と通信し得る。ワイヤレス通信システム１４００は大きい地理的領域にわたってサービスを提供し得る。たとえば、マクロセル１４０２Ａ〜１４０２Ｇは、近隣内の数ブロックまたは地方環境の数マイルをカバーし得る。
【０１０３】
図１５に、１つまたは複数のフェムトアクセスポイントがネットワーク環境内に展開された例示的な通信システム１５００を示す。特に、システム１５００は、比較的小規模のネットワーク環境中に（たとえば、１つまたは複数のユーザレジデンス１５３０中に）設置された複数のフェムトアクセスポイント１５１０（たとえば、フェムトアクセスポイント１５１０Ａおよび１５１０Ｂ）を含む。各フェムトアクセスポイント１５１０は、ＤＳＬルータ、ケーブルモデム、ワイヤレスリンク、または他の接続手段（図示せず）を介して、ワイドエリアネットワーク１５４０（たとえば、インターネット）とモバイル事業者コアネットワーク１５５０とに結合され得る。以下で説明するように、各フェムトアクセスポイント１５１０は、関連するアクセス端末１５２０（たとえば、アクセス端末１５２０Ａ）、および、随意に、他の（たとえば、ハイブリッドまたはエイリアン（alien））アクセス端末１５２０（たとえば、アクセス端末１５２０Ｂ）にサービスするように構成され得る。言い換えれば、フェムトアクセスポイント１５１０へのアクセスは制限され得、それによって、所与のアクセス端末１５２０は、指定された（１つまたは複数の）（たとえば、ホーム）フェムトアクセスポイント１５１０のセットによってサービスされ得るが、指定されていないフェムトアクセスポイント１５１０（たとえば、近隣のフェムトアクセスポイント１５１０）によってサービスされないことがある。
【０１０４】
図１６に、いくつかの追跡エリア１６０２（またはルーティングエリアまたはロケーションエリア）が画定されたカバレージマップ１６００の一例を示し、そのエリアの各々はいくつかのマクロカバレージエリア１６０４を含む。ここで、追跡エリア１６０２Ａ、１６０２Ｂ、および１６０２Ｃに関連付けられたカバレージのエリアは太線によって示され、マクロカバレージエリア１６０４は大きい六角形によって表される。追跡エリア１６０２はフェムトカバレージエリア１６０６をも含む。この例では、フェムトカバレージエリア１６０６の各々（たとえば、フェムトカバレージエリア１６０６Ｂおよび１６０６Ｃ）は、１つまたは複数のマクロカバレージエリア１６０４（たとえば、マクロカバレージエリア１６０４Ａおよび１６０４Ｂ）内に示されている。ただし、フェムトカバレージエリア１６０６の一部または全部がマクロカバレージエリア１６０４内にないことがあることを諒解されたい。実際問題として、多数のフェムトカバレージエリア１６０６（たとえば、フェムトカバレージエリア１６０６Ａおよび１６０６Ｄ）を所与の追跡エリア１６０２またはマクロカバレージエリア１６０４内に画定し得る。また、１つまたは複数のピコカバレージエリア（図示せず）を所与の追跡エリア１６０２またはマクロカバレージエリア１６０４内に画定し得る。
【０１０５】
再び図１５を参照すると、フェムトアクセスポイント１５１０の所有者は、たとえば、３Ｇモバイルサービスなど、モバイル事業者コアネットワーク１５５０を介して提供されるモバイルサービスに加入（subscribe）し得る。さらに、アクセス端末１５２０は、マクロ環境と、より小規模の（たとえば、宅内）ネットワーク環境の両方で動作することが可能であり得る。言い換えれば、アクセス端末１５２０の現在のロケーションに応じて、アクセス端末１５２０は、モバイル事業者コアネットワーク１５５０に関連付けられたマクロセルアクセスポイント１５６０によって、または、フェムトアクセスポイント１５１０のセット（たとえば、対応するユーザレジデンス１５３０内に常駐するフェムトアクセスポイント１５１０Ａおよび１５１０Ｂ）のいずれか１つによってサービスされ得る。たとえば、加入者は、自宅の外にいるときは標準のマクロアクセスポイント（たとえば、アクセスポイント１５６０）によってサービスされ、自宅の中にいるときはフェムトアクセスポイント（たとえば、アクセスポイント１５１０Ａ）によってサービスされる。ここで、フェムトアクセスポイント１５１０は、レガシーアクセス端末１５２０と後方互換性があり得る。
【０１０６】
フェムトアクセスポイント１５１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント１５６０）によって使用される１つまたは複数の周波数と重なることがある。
【０１０７】
いくつかの態様では、アクセス端末１５２０は、そのような接続性が可能であるときはいつでも、好適なフェムトアクセスポイント（たとえば、アクセス端末１５２０のホームフェムトアクセスポイント）に接続するように構成され得る。たとえば、アクセス端末１５２０Ａがユーザのレジデンス１５３０内にあるときはいつでも、アクセス端末１５２０Ａがホームフェムトアクセスポイント１５１０Ａまたは１５１０Ｂのみと通信することが望ましいことがある。
【０１０８】
いくつかの態様では、アクセス端末１５２０がマクロセルラーネットワーク１５５０内で動作しているが、（たとえば、好適ローミングリスト中で定義された）その最も好適なネットワーク上に常駐していない場合、アクセス端末１５２０は、ベターシステム・リセレクション（better system reselection）（ＢＳＲ）手順を使用して、最も好適なネットワーク（たとえば、好適なフェムトアクセスポイント１５１０）を探索し続け得、ベターシステム・リセレクションでは、より良好なシステムが現在利用可能であるかどうかを判断するために利用可能なシステムの周期的スキャニングを行い、その後、そのような好適なシステムを捕捉し得る。アクセス端末１５２０は、特定の帯域およびチャネルの探索を制限し得る。たとえば、１つまたは複数のフェムトチャネルが定義され得、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返され得る。好適なフェムトアクセスポイント１５１０が発見されると、アクセス端末１５２０は、そのカバレージエリア内にあるときに使用するために、フェムトアクセスポイント１５１０を選択し、それに登録する。
【０１０９】
フェムトアクセスポイントへのアクセスは、いくつかの態様では、制限されることがある。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス１５３０内に常駐するフェムトアクセスポイント１５１０）とによってのみサービスされ得る。いくつかの実装形態では、アクセスポイントは、少なくとも１つのノード（たとえば、アクセス端末）にシグナリング、データアクセス、登録、ページング、またはサービスのうちの少なくとも１つを提供しないように制限され得る。
【０１１０】
いくつかの態様では、（限定加入者グループホームノードＢ（Closed Subscriber Group Home NodeB）と呼ばれることもある）制限付きフェムトアクセスポイントは、制限された供給された（provisioned）アクセス端末のセットにサービスを提供するフェムトアクセスポイントである。このセットは、必要に応じて、一時的にまたは永続的に拡大され得る。いくつかの態様では、限定加入者グループ（Closed Subscriber Group）（ＣＳＧ）は、アクセス端末の共通のアクセス制御リストを共有するアクセスポイント（たとえば、フェムトアクセスポイント）のセットとして定義され得る。
【０１１１】
したがって、所与のフェムトアクセスポイントと所与のアクセス端末との間には様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可され得るが、他のアクセス端末ではフルアクセスが許可され得る）フェムトアクセスポイントを指すことがある。エイリアン（alien）フェムトアクセスポイントは、おそらく非常事態（たとえば、９１１番通報）を除いて、アクセス端末がアクセスし、またはその上で動作することを許可されないフェムトアクセスポイントを指すことがある。
【０１１２】
制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。エイリアンアクセス端末は、たとえば、おそらく９１１番通報などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１１３】
便宜上、本明細書の開示では、フェムトアクセスポイントの文脈で様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１１４】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単一入力単一出力（single-in-single-out）システム、複数入力複数出力（ＭＩＭＯ）システム、または何らかの他のタイプのシステムを介して確立され得る。
【０１１５】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【０１１６】
ＭＩＭＯシステムは時分割複信（ＴＤＤ）および周波数分割複信（ＦＤＤ）をサポートし得る。ＴＤＤシステムでは、順方向リンク送信と逆方向リンク送信とが同じ周波数領域上で行われるので、相反定理（reciprocity principle）により逆方向リンクチャネルから順方向リンクチャネルの推定が可能である。これにより、複数のアンテナがアクセスポイントで利用可能なとき、アクセスポイントは順方向リンク上で送信ビームフォーミング利得を抽出することが可能になる。
【０１１７】
図１７に、例示的なＭＩＭＯシステム１７００のワイヤレスデバイス１７１０（たとえば、アクセスポイント）およびワイヤレスデバイス１７５０（たとえば、アクセス端末）を示す。デバイス１７１０では、いくつかのデータストリームのトラフィックデータが、データソース１７１２から送信（ＴＸ）データプロセッサ１７１４に供給される。各データストリームは、次いで、それぞれの送信アンテナを介して送信され得る。
【０１１８】
ＴＸデータプロセッサ１７１４は、コード化データを与えるために、各データストリームのトラフィックデータを、そのデータストリーム用に選択された特定のコーディング方式に基づいてフォーマットし、コーディングし、インターリーブする。各データストリームのコード化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１７３０によって実行される命令によって判断され得る。データメモリ１７３２は、プロセッサ１７３０またはデバイス１７１０の他の構成要素によって使用されるプログラムコード、データ、および他の情報を記憶し得る。
【０１１９】
次いで、すべてのデータストリームの変調シンボルがＴＸ  ＭＩＭＯプロセッサ１７２０に供給され、ＴＸ  ＭＩＭＯプロセッサ１７２０はさらに（たとえば、ＯＦＤＭ用に）その変調シンボルを処理し得る。ＴＸ  ＭＩＭＯプロセッサ１７２０は、次いで、ＮT個の変調シンボルストリームを、ＮT個のトランシーバ（ＸＣＶＲ）１７２２Ａ〜１７２２Ｔに供給する。いくつかの態様では、ＴＸ  ＭＩＭＯプロセッサ１７２０は、データストリームのシンボルと、シンボルの送信元のアンテナとにビームフォーミング重みを付加する。
【０１２０】
各トランシーバ１７２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１７２２Ａ〜１７２２ＴからのＮT個の変調信号は、それぞれＮT個のアンテナ１７２４Ａ〜１７２４Ｔから送信される。
【０１２１】
デバイス１７５０では、送信された変調信号はＮR個のアンテナ１７５２Ａ〜１７５２Ｒによって受信され、各アンテナ１７５２からの受信信号は、それぞれのトランシーバ（ＸＣＶＲ）１７５４Ａ〜１７５４Ｒに供給される。各トランシーバ１７５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１２２】
次いで、受信（ＲＸ）データプロセッサ１７６０は、特定の受信機処理技法に基づいてＮR個のトランシーバ１７５４からＮR個の受信シンボルストリームを受信し、処理して、ＮT個の「検出」シンボルストリームを与える。次いで、ＲＸデータプロセッサ１７６０は、各検出シンボルストリームを復調し、デインターリーブし、復号して、データストリームのトラフィックデータを復元する。ＲＸデータプロセッサ１７６０による処理は、デバイス１７１０におけるＴＸ  ＭＩＭＯプロセッサ１７２０およびＴＸデータプロセッサ１７１４によって実行される処理を補足するものである。
【０１２３】
プロセッサ１７７０は、どのプリコーディング行列を使用すべきかを周期的に判断する（後述）。プロセッサ１７７０は、行列インデックス部分（matrix index portion）とランク値部分（rank value portion）とを備える逆方向リンクメッセージを作成する。データメモリ１７７２は、プロセッサ１７７０またはデバイス１７５０の他の構成要素によって使用されるプログラムコード、データ、および他の情報を記憶し得る。
【０１２４】
逆方向リンクメッセージは、通信リンクおよび／または受信データストリームに関する様々なタイプの情報を備え得る。次いで、逆方向リンクメッセージは、データソース１７３６からいくつかのデータストリームのトラフィックデータをも受信するＴＸデータプロセッサ１７３８によって処理され、変調器１７８０によって変調され、トランシーバ１７５４Ａ〜１７５４Ｒによって調整され、デバイス１７１０に戻される。
【０１２５】
デバイス１７１０では、デバイス１７５０からの変調信号は、アンテナ１７２４によって受信され、トランシーバ１７２２によって調整され、復調器（ＤＥＭＯＤ）１７４０によって復調され、ＲＸデータプロセッサ１７４２によって処理されて、デバイス１７５０によって送信された逆方向リンクメッセージが抽出される。次いで、プロセッサ１７３０は、ビームフォーミング重みを判断するためにどのプリコーディング行列を使用すべきかを判断し、次いで、抽出されたメッセージを処理する。
【０１２６】
図１７はまた、通信構成要素が、本明細書で教示する登録関係の動作を実行する１つまたは複数の構成要素を含み得ることを示す。たとえば、登録（ＲＥＧＩＳ．）制御構成要素１７９０は、本明細書で教示されるように、プロセッサ１７３０および／またはデバイス１７１０の他の構成要素と協働して、別のデバイス（たとえば、デバイス１７５０）との間で信号を送信／受信し得る。同様に、登録制御構成要素１７９２は、プロセッサ１７７０および／またはデバイス１７５０の他の構成要素と協働して、別のデバイス（たとえば、デバイス１７１０）との間で信号を送信／受信し得る。各デバイス１７１０および１７５０について、説明する構成要素のうちの２つ以上の機能が単一の構成要素によって提供され得ることを諒解されたい。たとえば、単一の処理構成要素が登録制御構成要素１７９０およびプロセッサ１７３０の機能を提供し得、また、単一の処理構成要素が登録制御構成要素１７９２およびプロセッサ１７７０の機能を提供し得る。
【０１２７】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、マルチキャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、ユニバーサル地上無線アクセス（Universal Terrestrial Radio Access）（ＵＴＲＡ）、ｃｄｍａ２０００、または何らかの他の技術などの無線技術を実装し得る。ＵＴＲＡは、Ｗ−ＣＤＭＡおよび低チップレート（Low Chip Rate）（ＬＣＲ）を含む。ｃｄｍａ２０００技術は、ＩＳ−２０００、ＩＳ−９５およびＩＳ−８５６規格をカバーする。ＴＤＭＡネットワークは、移動通信のためのグローバルシステム（Global System for Mobile Communications）（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサル・モバイル通信システム（Universal Mobile Telecommunication System）（ＵＭＴＳ）の一部である。本明細書の教示は、３ＧＰＰ  ロング・ターム・エボリューション（Long Term Evolution）（ＬＴＥ）システム、ウルトラ−モバイル・ブロードバンド（Ultra-Mobile Broadband）（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシップ・プロジェクト（3rd Generation Partnership Project）」（３ＧＰＰ）と称する団体からの文書に記載されており、ｃｄｍａ２０００は、「第３世代パートナーシップ・プロジェクト２（3rd Generation Partnership Project 2）」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１２８】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１２９】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【０１３０】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、トランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１３１】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなど、ワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【０１３２】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【０１３３】
ワイヤレスノードは、好適なワイヤレス通信技術に基づくあるいは好適なワイヤレス通信技術をサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用し得る。同様に、ワイヤレスノードは、様々な対応する変調方式または多重化方式のうちの１つまたは複数をサポートあるいは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【０１３４】
（たとえば、添付の図の１つまたは複数に関して）本明細書で説明する機能は、いくつかの態様では、添付の特許請求の範囲において同様に指定された「手段」機能に対応し得る。図１８および図１９を参照すると、装置１８００および１９００が一連の相互に関係する機能モジュールとして表されている。ここで、アクセスポイントに関係するユーザデータについての要求を送るためのモジュール１８０２は、少なくともいくつかの態様では、たとえば、本明細書で説明するネットワークインターフェースに対応し得る。少なくとも１つのアプリケーションサーバを識別する応答を受信するためのモジュール１８０４は、少なくともいくつかの態様では、たとえば、本明細書で説明するネットワークインターフェースに対応し得る。少なくとも１つのアプリケーションサーバに登録ステータス情報を送るためのモジュール１８０６は、少なくともいくつかの態様では、たとえば、本明細書で説明するコントローラに対応し得る。アクセスポイントの登録ステータスの変化があったと判断するためのモジュール１８０８は、少なくともいくつかの態様では、たとえば、本明細書で説明するコントローラに対応し得る。アクセスポイントから登録メッセージを受信するためのモジュール１８１０は、少なくともいくつかの態様では、たとえば、本明細書で説明するコントローラに対応し得る。アクセス端末の登録ステータスの変化があったと判断するためのモジュール１８１２は、少なくともいくつかの態様では、たとえば、本明細書で説明するコントローラに対応し得る。アクセス端末から登録メッセージを受信するためのモジュール１８１４は、少なくともいくつかの態様では、たとえば、本明細書で説明するコントローラに対応し得る。リストを維持するためのモジュール１９０２は、少なくともいくつかの態様では、たとえば、本明細書で説明するメモリ構成要素に対応し得る。アクセスポイントから信号を受信するためのモジュール１９０４は、少なくともいくつかの態様では、たとえば、本明細書で説明する受信機に対応し得る。アクセスポイントがリストによって識別されると判断するためのモジュール１９０６は、少なくともいくつかの態様では、たとえば、本明細書で説明するコントローラに対応し得る。アクセスポイントに登録するためのモジュール１９０８は、少なくともいくつかの態様では、たとえば、本明細書で説明するコントローラに対応し得る。少なくとも１つの定義されたサービスにアクセスするためのモジュール１９１０は、少なくともいくつかの態様では、たとえば、本明細書で説明するコントローラに対応し得る。アクセス端末がカバレージを出ようとしていると判断するためのモジュール１９１２は、少なくともいくつかの態様では、たとえば、本明細書で説明するコントローラに対応し得る。アクセスポイントから登録解除するためのモジュール１９１４は、少なくともいくつかの態様では、たとえば、本明細書で説明するコントローラに対応し得る。
【０１３５】
図１８および図１９のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示するように何らかの他の方法で実装され得る。いくつかの態様では、図１８および図１９中の破線ブロックのうちの１つまたは複数は随意である。
【０１３６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１３７】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３８】
さらに、本明細書で開示する態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１３９】
本明細書で開示する態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、そのプロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４０】
開示するプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４１】
１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体と、の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的（non-transitory）コンピュータ可読媒体（たとえば、有形媒体（tangible media））を備え得る。さらに、いくつかの態様では、コンピュータ可読媒体は一時的（transitory）コンピュータ可読媒体（たとえば、信号）を備え得る。上記の組合せもコンピュータ可読媒体の範囲内に含めるべきである。コンピュータ可読媒体は任意の好適なコンピュータプログラム製品に実装され得ることを諒解されたい。
【０１４２】
開示する態様の前述の説明は、当業者が本開示を実施または使用できるように与えたものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示する原理および新規の特徴に一致する最も広い範囲を与えられるべきである。
なお、本願の出願当初の請求項と同一の記載を以下に付記する。
［Ｃ１］  第１のネットワークエンティティから第２のネットワークエンティティに、アクセスポイントに関係するユーザデータについての要求を送ることと、
前記要求に対する応答を受信することであって、前記応答が少なくとも１つのアプリケーションサーバを識別する、受信することと、
前記識別された少なくとも１つのアプリケーションサーバに登録ステータス情報を送ることと
を備える、通信の方法。
［Ｃ２］  前記登録ステータス情報が前記アクセスポイントの登録ステータスを示す、Ｃ１に記載の方法。
［Ｃ３］  前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、Ｃ２に記載の方法。
［Ｃ４］  前記要求に対する前記応答は、前記アクセスポイントが加入した少なくとも１つのアプリケーションサーバのリストを備える、Ｃ２に記載の方法。
［Ｃ５］  前記アクセスポイントの前記登録ステータスの変化があったと判断することをさらに備え、前記判断の結果として前記要求が送られる、Ｃ２に記載の方法。
［Ｃ６］  前記アクセスポイントから登録メッセージを受信することをさらに備え、前記アクセスポイントの前記登録ステータスの変化があったという前記判断は前記登録メッセージに基づく、Ｃ５に記載の方法。
［Ｃ７］  前記登録ステータス情報が前記アクセスポイントにおけるアクセス端末の登録ステータスを示す、Ｃ１に記載の方法。
［Ｃ８］  前記登録ステータスは、前記アクセス端末が前記アクセスポイントに登録したこと、または前記アクセス端末がもはや前記アクセスポイントに登録されていないことを示す、Ｃ７に記載の方法。
［Ｃ９］  前記要求に対する前記応答は、前記アクセス端末が加入した少なくとも１つのアプリケーションサーバのリストを備える、Ｃ７に記載の方法。
［Ｃ１０］  前記アクセス端末の前記登録ステータスの変化があったと判断することをさらに備え、前記判断の結果として前記要求が送られる、Ｃ７に記載の方法。
［Ｃ１１］  前記アクセス端末から登録メッセージを受信することをさらに備え、前記アクセス端末の前記登録ステータスの変化があったという前記判断は前記登録メッセージに基づく、Ｃ１０に記載の方法。
［Ｃ１２］  前記要求が、前記アクセスポイントの識別子と、前記アクセスポイントに関連する加入データとを備える、Ｃ１に記載の方法。
［Ｃ１３］  前記アクセスポイントがフェムトアクセスポイントを備え、
前記第１のネットワークエンティティがフェムトコンバージェンスサーバを備え、
前記第２のネットワークエンティティがホーム加入者サーバを備える、
Ｃ１に記載の方法。
［Ｃ１４］  前記要求がユーザデータ要求コマンドを備え、
前記要求に対する前記応答がユーザデータ返答コマンドを備える、
Ｃ１３に記載の方法。
［Ｃ１５］  前記第１のネットワークエンティティが、ユーザのためのセッションを管理するエンティティを備え、
前記第２のネットワークエンティティが、加入者情報を管理するエンティティを備える、
Ｃ１に記載の方法。
［Ｃ１６］  前記第１のネットワークエンティティが呼セッション制御機能を備え、
前記第２のネットワークエンティティがホーム加入者サーバを備える、
Ｃ１に記載の方法。
［Ｃ１７］  通信のための装置であって、
ネットワークエンティティに、アクセスポイントに関係するユーザデータについての要求を送るように動作可能であり、前記要求に対する応答を受信するようにさらに動作可能であるネットワークインターフェースであって、前記応答が少なくとも１つのアプリケーションサーバを識別する、ネットワークインターフェースと、
前記識別された少なくとも１つのアプリケーションサーバに登録ステータス情報を送るように動作可能なコントローラと
を備える、装置。
［Ｃ１８］  前記登録ステータス情報が前記アクセスポイントの登録ステータスを示す、Ｃ１７に記載の装置。
［Ｃ１９］  前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、Ｃ１８に記載の装置。
［Ｃ２０］  前記要求に対する前記応答は、前記アクセスポイントが加入した少なくとも１つのアプリケーションサーバのリストを備える、Ｃ１８に記載の装置。
［Ｃ２１］  前記コントローラは、前記アクセスポイントの前記登録ステータスの変化があったと判断するようにさらに動作可能であり、
前記判断の結果として前記要求が送られる、
Ｃ１８に記載の装置。
［Ｃ２２］  前記ネットワークインターフェースが、前記アクセスポイントから登録メッセージを受信するようにさらに動作可能であり、
前記アクセスポイントの前記登録ステータスの変化があったという前記判断は前記登録メッセージに基づく、
Ｃ２１に記載の装置。
［Ｃ２３］  前記登録ステータス情報が前記アクセスポイントにおけるアクセス端末の登録ステータスを示す、Ｃ１７に記載の装置。
［Ｃ２４］  前記登録ステータスは、前記アクセス端末が前記アクセスポイントに登録したこと、または前記アクセス端末がもはや前記アクセスポイントに登録されていないことを示す、Ｃ２３に記載の装置。
［Ｃ２５］  前記要求に対する前記応答は、前記アクセス端末が加入した少なくとも１つのアプリケーションサーバのリストを備える、Ｃ２３に記載の装置。
［Ｃ２６］  前記コントローラは、前記アクセス端末の前記登録ステータスの変化があったと判断するようにさらに動作可能であり、
前記判断の結果として前記要求が送られる、
Ｃ２３に記載の装置。
［Ｃ２７］  前記ネットワークインターフェースが、前記アクセス端末から登録メッセージを受信するようにさらに動作可能であり、
前記アクセス端末の前記登録ステータスの変化があったという前記判断は前記登録メッセージに基づく、
Ｃ２６に記載の装置。
［Ｃ２８］  前記要求が、前記アクセスポイントの識別子と、前記アクセスポイントに関連する加入データとを備える、Ｃ１７に記載の装置。
［Ｃ２９］  前記アクセスポイントがフェムトアクセスポイントを備え、
前記装置がフェムトコンバージェンスサーバを備え、
前記ネットワークエンティティがホーム加入者サーバを備える、
Ｃ１７に記載の装置。
［Ｃ３０］  前記要求がユーザデータ要求コマンドを備え、
前記要求に対する前記応答がユーザデータ返答コマンドを備える、
Ｃ２９に記載の装置。
［Ｃ３１］  前記装置が、ユーザのためのセッションを管理するエンティティを備え、
前記ネットワークエンティティが、加入者情報を管理するエンティティを備える、
Ｃ１７に記載の装置。
［Ｃ３２］  前記装置が呼セッション制御機能を備え、
前記ネットワークエンティティがホーム加入者サーバを備える、
Ｃ１７に記載の装置。
［Ｃ３３］  通信のための装置であって、
ネットワークエンティティに、アクセスポイントに関係するユーザデータについての要求を送るための手段と、
前記要求に対する応答を受信するための手段であって、前記応答が少なくとも１つのアプリケーションサーバを識別する、受信するための手段と、
前記識別された少なくとも１つのアプリケーションサーバに登録ステータス情報を送るための手段と
を備える、装置。
［Ｃ３４］  前記登録ステータス情報が前記アクセスポイントの登録ステータスを示す、Ｃ３３に記載の装置。
［Ｃ３５］  前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、Ｃ３４に記載の装置。
［Ｃ３６］  前記アクセスポイントの前記登録ステータスの変化があったと判断するための手段をさらに備え、前記判断の結果として前記要求が送られる、Ｃ３４に記載の装置。
［Ｃ３７］  前記アクセスポイントがフェムトアクセスポイントを備え、
前記装置がフェムトコンバージェンスサーバを備え、
前記ネットワークエンティティがホーム加入者サーバを備える、
Ｃ３３に記載の装置。
［Ｃ３８］  前記要求がユーザデータ要求コマンドを備え、
前記要求に対する前記応答がユーザデータ返答コマンドを備える、
Ｃ３７に記載の装置。
［Ｃ３９］  第１のネットワークエンティティから第２のネットワークエンティティに、アクセスポイントに関係するユーザデータについての要求を送ることと、
前記要求に対する応答を受信することであって、前記応答が少なくとも１つのアプリケーションサーバを識別する、受信することと、
前記識別された少なくとも１つのアプリケーションサーバに登録ステータス情報を送ることと
をコンピュータに行わせるためのコードを備えるコンピュータ可読媒体
を備える、コンピュータプログラム製品。
［Ｃ４０］  前記登録ステータス情報が前記アクセスポイントの登録ステータスを示す、Ｃ３９に記載のコンピュータプログラム製品。
［Ｃ４１］  前記登録ステータスは、前記アクセスポイントがインターネットプロトコル・マルチメディア・サブシステムに登録したこと、または前記アクセスポイントが前記インターネットプロトコル・マルチメディア・サブシステムから登録解除したことを示す、Ｃ４０に記載のコンピュータプログラム製品。
［Ｃ４２］  前記コンピュータ可読媒体は、前記アクセスポイントの前記登録ステータスの変化があったと判断することを前記コンピュータに行わせるためのコードをさらに備え、前記判断の結果として前記要求が送られる、Ｃ４０に記載のコンピュータプログラム製品。
［Ｃ４３］  前記アクセスポイントがフェムトアクセスポイントを備え、
前記第１のネットワークエンティティがフェムトコンバージェンスサーバを備え、
前記第２のネットワークエンティティがホーム加入者サーバを備える、
Ｃ３９に記載のコンピュータプログラム製品。
［Ｃ４４］  前記要求がユーザデータ要求コマンドを備え、
前記要求に対する前記応答がユーザデータ返答コマンドを備える、
Ｃ４３に記載のコンピュータプログラム製品。
［Ｃ４５］  アクセス端末においてリストを維持することであって、前記リストは、前記アクセス端末が少なくとも１つのアクセスポイントに登録しようとするその少なくとも１つのアクセスポイントを識別する、維持することと、
第１のアクセスポイントから信号を受信することと、
前記第１のアクセスポイントが前記リストによって識別されると判断することと、
前記第１のアクセスポイントが前記リストによって識別されるという前記判断の結果として、前記第１のアクセスポイントに登録することと
を備える、通信の方法。
［Ｃ４６］  前記アクセス端末の加入は、前記アクセス端末が前記第１のアクセスポイントに登録されている場合、前記アクセス端末が少なくとも１つのアプリケーションサーバを介して少なくとも１つの定義されたサービスにアクセスすることを許可されることを指定する、Ｃ４５に記載の方法。
［Ｃ４７］  前記アクセス端末は、前記登録を実行して、前記アクセス端末が前記第１のアクセスポイントに存在することを前記少なくとも１つのアプリケーションサーバに通知する、Ｃ４６に記載の方法。
［Ｃ４８］  前記登録の結果として前記少なくとも１つの定義されたサービスにアクセスすることをさらに備える、Ｃ４６に記載の方法。
［Ｃ４９］  前記アクセス端末が前記第１のアクセスポイントのカバレージを出ようとしていると判断することと、
前記アクセス端末が前記カバレージを出ようとしているという前記判断の結果として、前記第１のアクセスポイントから登録解除することと
をさらに備える、Ｃ４５に記載の方法。
［Ｃ５０］  前記アクセスポイントに前記登録することが、前記アクセスポイントを介してインターネットプロトコル・マルチメディア・サブシステムに再登録することを備える、Ｃ４５に記載の方法。
［Ｃ５１］  前記アクセス端末が、インターネットプロトコル・マルチメディア・サブシステム・クライアントを備えない回線交換ベースのアクセス端末を備え、
前記アクセス端末が、前記登録の結果としてインターネットプロトコル・マルチメディア・サブシステム・サービスへのアクセスを取得する、
Ｃ４５に記載の方法。
［Ｃ５２］  前記アクセスポイントがフェムトアクセスポイントを備える、Ｃ４５に記載の方法。
［Ｃ５３］  通信のための装置であって、
前記装置が少なくとも１つのアクセスポイントに登録しようとするその少なくとも１つのアクセスポイントを識別するリストを維持するように動作可能なメモリ構成要素と、
第１のアクセスポイントから信号を受信するように動作可能な受信機と、
前記第１のアクセスポイントが前記リストによって識別されると判断するように動作可能であり、前記第１のアクセスポイントが前記リストによって識別されるという前記判断の結果として、前記第１のアクセスポイントに登録するようにさらに動作可能であるコントローラと
を備える、装置。
［Ｃ５４］  前記装置の加入は、前記装置が前記第１のアクセスポイントに登録されている場合、前記装置が少なくとも１つのアプリケーションサーバを介して少なくとも１つの定義されたサービスにアクセスすることを許可されることを指定する、Ｃ５３に記載の装置。
［Ｃ５５］  前記コントローラは、前記登録を実行して、前記装置が前記第１のアクセスポイントに存在することを前記少なくとも１つのアプリケーションサーバに通知する、Ｃ５４に記載の装置。
［Ｃ５６］  前記コントローラが、再登録の結果として前記少なくとも１つの定義されたサービスにアクセスするようにさらに動作可能である、Ｃ５４に記載の装置。
［Ｃ５７］  前記コントローラは、
前記装置が前記第１のアクセスポイントのカバレージを出ようとしていると判断することと、
前記装置が前記カバレージを出ようとしているという前記判断の結果として、前記第１のアクセスポイントから登録解除することと
を行うようにさらに動作可能である、Ｃ５３に記載の装置。
［Ｃ５８］  前記アクセスポイントに前記登録することが、前記アクセスポイントを介してインターネットプロトコル・マルチメディア・サブシステムに再登録することを備える、Ｃ５３に記載の装置。
［Ｃ５９］  前記装置が、インターネットプロトコル・マルチメディア・サブシステム・クライアントを備えない回線交換ベースのアクセス端末を備え、
前記装置が、前記登録の結果としてインターネットプロトコル・マルチメディア・サブシステム・サービスへのアクセスを取得する、
Ｃ５３に記載の装置。
［Ｃ６０］  前記アクセスポイントがフェムトアクセスポイントを備える、Ｃ５３に記載の装置。
［Ｃ６１］  通信のための装置であって、
前記装置が少なくとも１つのアクセスポイントに登録しようとするその少なくとも１つのアクセスポイントを識別するリストを維持するための手段と、
第１のアクセスポイントから信号を受信するための手段と、
前記第１のアクセスポイントが前記リストによって識別されると判断するための手段と、
前記第１のアクセスポイントが前記リストによって識別されるという前記判断の結果として、前記第１のアクセスポイントに登録するための手段と
を備える、装置。
［Ｃ６２］  前記装置が前記第１のアクセスポイントのカバレージを出ようとしていると判断するための手段と、
前記装置が前記カバレージを出ようとしているという前記判断の結果として、前記第１のアクセスポイントから登録解除するための手段と
をさらに備える、Ｃ６１に記載の装置。
［Ｃ６３］  前記アクセスポイントに前記登録することが、前記アクセスポイントを介してインターネットプロトコル・マルチメディア・サブシステムに再登録することを備える、Ｃ６１に記載の装置。
［Ｃ６４］  前記アクセスポイントがフェムトアクセスポイントを備える、Ｃ６１に記載の装置。
［Ｃ６５］  アクセス端末においてリストを維持することであって、前記リストは、前記アクセス端末が少なくとも１つのアクセスポイントに登録しようとするその少なくとも１つのアクセスポイントを識別する、維持することと、
第１のアクセスポイントから信号を受信することと、
前記第１のアクセスポイントが前記リストによって識別されると判断することと、
前記第１のアクセスポイントが前記リストによって識別されるという前記判断の結果として、前記第１のアクセスポイントに登録することと
をコンピュータに行わせるためのコードを備えるコンピュータ可読媒体
を備える、コンピュータプログラム製品。
［Ｃ６６］  前記コンピュータ可読媒体は、
前記アクセス端末が前記第１のアクセスポイントのカバレージを出ようとしていると判断することと、
前記アクセス端末が前記カバレージを出ようとしているという前記判断の結果として、前記第１のアクセスポイントから登録解除することと
を前記コンピュータに行わせるためのコードをさらに備える、Ｃ６５に記載のコンピュータプログラム製品。
［Ｃ６７］  前記アクセスポイントに前記登録することが、前記アクセスポイントを介してインターネットプロトコル・マルチメディア・サブシステムに再登録することを備える、Ｃ６５に記載のコンピュータプログラム製品。
［Ｃ６８］  前記アクセスポイントがフェムトアクセスポイントを備える、Ｃ６５に記載のコンピュータプログラム製品。
【図１】
0005529333.tif 000002
【図２】
0005529333.tif 000003
【図３】
0005529333.tif 000004
【図４】
0005529333.tif 000005
【図５】
0005529333.tif 000006
【図６】
0005529333.tif 000007
【図７】
0005529333.tif 000008
【図８】
0005529333.tif 000009
【図９】
0005529333.tif 000010
【図１０】
0005529333.tif 000011
【図１１】
0005529333.tif 000012
【図１２】
0005529333.tif 000013
【図１３】
0005529333.tif 000014
【図１４】
0005529333.tif 000015
【図１５】
0005529333.tif 000016
【図１６】
0005529333.tif 000017
【図１７】
0005529333.tif 000018
【図１８】
0005529333.tif 000019
【図１９】
0005529333.tif 000020